(57)【要約】【課題】複数の端末装置間での同報的なデータ通信において、一部の端末装置だけと簡単に通信する。【解決手段】  ＰｏＣサーバ２００が、携帯電話機から送信されてきた音声データを受信する音声データ受信部３０５と、その音声データを、複数の携帯電話機のうち、話者以外の各携帯電話機に向けて転送する音声データ転送部３０６と、話者の携帯電話機が発した音声データを転送されるべき受信者の携帯電話機が、各話者の携帯電話機に対応付けられて記憶される受信者記憶部３０８と、音声データ転送部３０５によって音声データが転送される際に、その音声データを受信者の携帯電話機を指定して転送させる受信者把握部３０２とを備えた。【選択図】        図５
2008187283.tif 000002
【特許請求の範囲】
【請求項１】
複数の端末装置と、サーバ装置とを備え、各端末装置から音声を表わす音声データを送信し、該音声データをサーバ装置で他の端末装置に転送し、該他の端末装置で該音声をリアルタイムに再生する通信システムにおいて、
前記サーバ装置が、
前記端末装置から送信されてきた音声データを受信する音声データ受信部と、
前記音声データ受信部で受信された音声データを、前記複数の端末装置のうち、該音声データを発信した発信端末装置を除く他の各端末装置に向けて転送する音声データ転送部と、
前記端末装置が前記発信端末装置となったときに音声データ転送部によって前記音声データが転送されるべき転送端末装置が、該発信端末装置となる端末装置に対応付けられて設定される転送先設定部と、
前記音声データ転送部によって音声データが転送される際に、該音声データを前記転送端末装置に限定して転送させる転送限定部とを備えたものであり、
前記端末装置が、
前記音声データを送信する音声データ送信部と、
前記サーバ装置から転送されてきた音声データを受信する転送音声データ受信部と、
前記転送音声データ受信部で受信された音声データが表わす音声をリアルタイムで再生する音声再生部とを備えたものであることを特徴とする通信システム。
【請求項２】
前記端末装置が、
前記複数の端末装置それぞれに対する前記転送端末装置の対応関係を表した対応データを操作に応じて作成する対応データ作成部と、
前記対応データ作成部で作成された対応データを送信する対応データ送信部とを備えたものであり、
前記サーバ装置が、
前記対応データを受信して、該対応データが表す対応関係に従って前記転送端末装置を前記転送先設定部に設定する対応データ受信部を備えたものであることを特徴とする請求項１記載の通信システム。
【請求項３】
前記端末装置が、
自装置が前記発信端末装置となるときの前記転送端末装置が入力操作によって入力される転送端末入力部と、
前記転送端末入力部で入力された転送端末装置を前記サーバ装置に通知する転送端末通知部とを備えたものであり、
前記サーバ装置が、
前記端末装置から前記転送端末装置の通知を受けて前記転送先設定部に、該転送端末装置を通知してきた端末装置に対応付けて該転送端末装置を設定する通知設定部を備えたものであることを特徴とする請求項１記載の通信システム。
【請求項４】
前記サーバ装置が、
前記複数の端末装置のうち、前記発信端末装置を除く他の端末装置に向けて、他装置が発信端末装置となっていることを、どの端末装置が発信端末装置であるかは秘匿された形式で示すビジー情報を送信するビジー情報送信部を備えたものであり、
前記端末装置が、
前記ビジー情報を受信して、自装置のユーザに、他装置が発信端末装置であることを、該発信端末装置が特定不能な画像で通知するビジー通知部を備えたものであることを特徴とする請求項１記載の通信システム。
【請求項５】
前記サーバ装置が、
前記複数の端末装置のうち、前記発信端末装置と前記転送端末装置との双方を除く他の端末装置に向けて、前記音声データが転送されないことが少なくとも端末装置側で確認可能な非転送確認情報を送信する確認情報送信部を備えたものであり、
前記端末装置が、
前記非転送確認情報を受信して、該非転送確認情報に基づいて、自装置が前記発信端末装置からの音声データの転送を止められていることを確認する確認部と、
前記確認部で、転送が止められていることが確認された場合に、自装置のユーザに、自装置が前記音声データの転送を受けていないことを通知する非転送通知部を備えたものであることを特徴とする請求項１記載の通信システム。
【請求項６】
複数の端末装置と、サーバ装置とを備え、各端末装置から音声を表わす音声データを送信し、該音声データをサーバ装置で他の端末装置に転送し、該他の端末装置で該音声をリアルタイムに再生する通信システムで使用されるサーバ装置において、
前記端末装置から送信されてきた音声データを受信する音声データ受信部と、
前記音声データ受信部で受信された音声データを、前記複数の端末装置のうち、該音声データを発信した発信端末装置を除く他の各端末装置に向けて転送する音声データ転送部と、
前記端末装置が前記発信端末装置となったときに音声データ転送部によって前記音声データが転送されるべき転送端末装置が、該発信端末装置となる端末装置に対応付けられて設定される転送先設定部と、
前記音声データ転送部によって音声データが転送される際に、該音声データを前記転送端末装置に限定して転送させる転送限定部とを備えたことを特徴とするサーバ装置。
【請求項７】
複数の端末装置と、サーバ装置とを備え、各端末装置から音声を表わす音声データを送信し、該音声データをサーバ装置で他の端末装置に転送し、該他の端末装置で該音声をリアルタイムに再生する通信システムで使用される端末装置において、
前記サーバ装置が、前記端末装置から送信されてきた音声データを受信する音声データ受信部と、前記音声データ受信部で受信された音声データを、前記複数の端末装置のうち、該音声データを発信した発信端末装置を除く他の各端末装置に向けて転送する音声データ転送部と、前記端末装置が前記発信端末装置となったときに音声データ転送部によって前記音声データが転送されるべき転送端末装置が、該発信端末装置となる端末装置に対応付けられて設定される転送先設定部と、前記音声データ転送部によって音声データが転送される際に、該音声データを前記転送端末装置に限定して転送させる転送限定部と、前記複数の端末装置それぞれに対する前記転送端末装置の対応関係を表した対応データを受信して、該対応データが表わす対応関係に従って前記転送端末装置を前記転送先設定部に設定する対応データ受信部とを有したものであり、
前記対応関係を表した対応データを操作に応じて作成する対応データ作成部と、
前記対応データ作成部で作成された対応データを送信する対応データ送信部と、
前記音声データを送信する音声データ送信部と、
前記サーバ装置から転送されてきた音声データを受信する転送音声データ受信部と、
前記転送音声データ受信部で受信された音声データが表わす音声をリアルタイムで再生する音声再生部とを備えたことを特徴とする端末装置。
【請求項８】
複数の端末装置と、サーバ装置とを備え、各端末装置から音声を表わす音声データを送信し、該音声データをサーバ装置で他の端末装置に転送し、該他の端末装置で該音声をリアルタイムに再生する通信システムで使用される端末装置において、
前記サーバ装置が、前記端末装置から送信されてきた音声データを受信する音声データ受信部と、前記音声データ受信部で受信された音声データを、前記複数の端末装置のうち、該音声データを発信した発信端末装置を除く他の各端末装置に向けて転送する音声データ転送部と、前記端末装置が前記発信端末装置となったときに音声データ転送部によって前記音声データが転送されるべき転送端末装置が、該発信端末装置となる端末装置に対応付けられて設定される転送先設定部と、前記音声データ転送部によって音声データが転送される際に、該音声データを前記転送端末装置に限定して転送させる転送限定部と、この端末装置から前記転送端末装置の通知を受けて前記転送先設定部に、該転送端末装置を通知してきた端末装置に対応付けて該転送端末装置を設定する通知設定部とを有するものであり、
自装置が前記発信端末装置となるときの前記転送端末装置が入力操作によって入力される転送端末入力部と、
前記転送端末入力部で入力された転送端末装置を前記サーバ装置に通知する転送端末通知部と、
前記音声データを送信する音声データ送信部と、
前記サーバ装置から転送されてきた音声データを受信する転送音声データ受信部と、
前記転送音声データ受信部で受信された音声データが表わす音声をリアルタイムで再生する音声再生部とを備えたものであることを特徴とする端末装置。
【請求項９】
複数の端末装置と、サーバ装置とを備え、各端末装置から音声を表わす音声データを送信し、該音声データをサーバ装置で他の端末装置に転送し、該他の端末装置で該音声をリアルタイムに再生する通信システムで使用される端末装置において、
前記サーバ装置が、前記端末装置から送信されてきた音声データを受信する音声データ受信部と、前記音声データ受信部で受信された音声データを、前記複数の端末装置のうち、該音声データを発信した発信端末装置を除く他の各端末装置に向けて転送する音声データ転送部と、前記端末装置が前記発信端末装置となったときに音声データ転送部によって前記音声データが転送されるべき転送端末装置が、該発信端末装置となる端末装置に対応付けられて設定される転送先設定部と、前記音声データ転送部によって音声データが転送される際に、該音声データを前記転送端末装置に限定して転送させる転送限定部と、前記複数の端末装置のうち、前記発信端末装置を除く他の端末装置に向けて、他装置が発信端末装置となっていることを、どの端末装置が発信端末装置であるかは秘匿された形式で示すビジー情報を送信するビジー情報送信部とを備えたものであり、
前記ビジー情報を受信して、自装置のユーザに、他装置が発信端末装置であることを、該発信端末装置が特定不能な画像で通知するビジー通知部と、
前記音声データを送信する音声データ送信部と、
前記サーバ装置から転送されてきた音声データを受信する転送音声データ受信部と、
前記転送音声データ受信部で受信された音声データが表わす音声をリアルタイムで再生する音声再生部とを備えたものであることを特徴とする端末装置。
【請求項１０】
複数の端末装置と、サーバ装置とを備え、各端末装置から音声を表わす音声データを送信し、該音声データをサーバ装置で他の端末装置に転送し、該他の端末装置で該音声をリアルタイムに再生する通信システムで使用される端末装置において、
前記サーバ装置が、前記端末装置から送信されてきた音声データを受信する音声データ受信部と、前記音声データ受信部で受信された音声データを、前記複数の端末装置のうち、該音声データを発信した発信端末装置を除く他の各端末装置に向けて転送する音声データ転送部と、前記端末装置が前記発信端末装置となったときに音声データ転送部によって前記音声データが転送されるべき転送端末装置が、該発信端末装置となる端末装置に対応付けられて設定される転送先設定部と、前記音声データ転送部によって音声データが転送される際に、該音声データを前記転送端末装置に限定して転送させる転送限定部と、前記複数の端末装置のうち、前記発信端末装置と前記転送端末装置との双方を除く他の端末装置に向けて、前記音声データが転送されないことが少なくとも端末装置側で確認可能な非転送確認情報を送信する確認情報送信部とを備えたものであり、
前記非転送確認情報を受信して、該非転送確認情報に基づいて、自装置が前記発信端末装置からの音声データの転送を止められていることを確認する確認部と、
前記確認部で、転送が止められていることが確認された場合に、自装置のユーザに、自装置が前記音声データの転送を受けていないことを通知する非転送通知部と、
前記音声データを送信する音声データ送信部と、
前記サーバ装置から転送されてきた音声データを受信する転送音声データ受信部と、
前記転送音声データ受信部で受信された音声データが表わす音声をリアルタイムで再生する音声再生部とを備えたものであることを特徴とする端末装置。
【発明の詳細な説明】
【技術分野】
【０００１】
本発明は、複数の端末装置において音声をリアルタイムに再生する通信システム、そのような通信システムで使われるサーバ装置、及びそのような通信システムで使われる端末装置に関する。
【背景技術】
【０００２】
近年、ＩＰ（Ｉｎｔｅｒｎｅｔ  Ｐｒｏｔｏｃｏｌ）網を介して、そのＩＰ網に接続された端末装置を使って通話を行うＩＰ電話が急速に普及している。特に、このＩＰ電話の端末装置をトランシーバの様に利用することで、複数ユーザ間で同報的な通話（セッション）を行うＰｏＣ（Ｐｕｓｈ−ｔｏ−Ｔａｌｋ  ｏｖｅｒ  Ｃｅｌｌｕｌａｒ）やＰｏＣ／Ｗ（Ｐｕｓｈ−ｔｏ−Ｔａｌｋ  ｏｖｅｒ  Ｃｅｌｌｕｌａｒ／Ｗｉｒｅｌｅｓｓ）と呼ばれる技術が注目を集めている（例えば、特許文献１及び特許文献２参照。）。以下、ＰｏＣとＰｏＣ／Ｗとを特に区別せずにＰｏＣと呼ぶ。
【０００３】
ＰｏＣでは、所定のサーバ装置が、１つのセッションに参加する複数のユーザそれぞれの端末装置との間に通信回線を開くことで、それら複数の端末装置とサーバ装置からなる通信システムが構築される。そして、この通信システムでは、任意の端末装置が送信した音声データは、サーバ装置によって他の端末装置に転送され、転送先の端末装置でその音声データが表わす音声がリアルタイムに再生される。これにより、複数のユーザ間でのセッションが可能となっている。
【０００４】
ここで、この通信システムにおける音声データの送信は、端末装置が、音声データを送信する権利（話者権）を取得することで可能となる。ＰｏＣの端末装置には、サーバ装置に対してこの話者権を要求するための専用のスイッチが設けられていることが多く、ユーザがこのスイッチを押すと、サーバ装置からそのユーザの端末装置に話者権が付与される。そして、ユーザがそのスイッチを押しながら発言すると、その発言音声を表わす音声データがサーバ装置から他の端末装置に同報的に転送される。また、そのときには、他の端末装置には、話者権が現在別の端末装置に取得されている旨が通知される。話者権を有する端末装置のユーザ、即ち話者が話し終えてスイッチを放すと話者権がサーバ装置に返還され、他の端末装置での話者権の取得が可能となる。このように、ＰｏＣでは、通信システムにおいて、話者権の取得と返還が端末装置間で繰り返されることで、複数ユーザ相互間での通話が行われる。
【０００５】
以上に説明したＰｏＣによれば、ある情報を複数ユーザに伝えたい場合等に、一回の発言が複数ユーザに同報的に伝えられるので、複数ユーザそれぞれに話す手間やコストが削減される。また、話したい相手が一人だった場合でも、その話の内容が複数ユーザに同報的に伝えられることで、話の内容や、その内容がその一人の相手に伝えられたという事実認識を複数ユーザ間で共有することができる。
【特許文献１】特開２００６−１３５５１１号公報
【特許文献２】特開２００６−１８０１４３号公報
【発明の開示】
【発明が解決しようとする課題】
【０００６】
ところで、ＰｏＣを利用した通話において、セッションに参加しているユーザのうちの一部のユーザだけと通話したい場合がある。
【０００７】
例えば、タクシー会社における複数のタクシーと管理センターとの間で無線通話を行ういわゆるタクシー無線システムに対して、ＰｏＣを利用した通信システムを適用することを考えてみる。その場合、複数のタクシーおよび管理センターが参加するセッションが開催されることとなる。ここで、管理センターからの指示は全タクシーに伝えられる必要があるが、一方で、各タクシーから管理センターへの通話内容は、顧客情報等を含んでいる恐れがあるため管理センターだけに伝えられることが望ましい。また、例えば工事現場における複数の作業者と工事管理者との間での通話に対して、ＰｏＣを利用した通信システムを適用することを考えてみる。この場合には、複数の作業者および工事管理者が参加するセッションが開催されることとなる。工事管理者からの指示は全作業者に伝えられる必要があるが、作業者間で細かな作業状況を伝え合うといった通話内容は工事管理者側では不要であり、そのような通話内容は作業者だけに伝えられることが望ましい。さらに、例えば複数のユーザ間での一般的な通話にＰｏＣを利用した通信システムを適用することを考えてみる。この場合、全員での通話中に、仮にあるユーザが一部のユーザに内緒話をしたいと考えたとすると、内緒話をするユーザの発言内容は、その内緒話の相手のみに伝えられることが望ましい。
【０００８】
しかしながら、セッションに参加しているユーザのうちの一部のユーザだけと通話するといったことは、ＰｏＣを利用した従来の通信システムでは原理的に不可能である。この従来の通信システムで一部のユーザだけと通話するためには、現在のセッションとは別に、話者とその一部のユーザだけからなる新たなセッションが必要となる。例えば、上記のタクシー無線システムの例では、全タクシーと管理センターとが参加するセッションとは別に、各タクシーと管理センターとの２者が参加するセッションとが必要となる。尚、後者のセッションは各タクシー毎に必要となる。また、工事現場での通話の例では、全作業者と工事管理者とが参加するセッションとは別に、作業者のみからなるセッションとが必要となる。さらに、内緒話の例では、全ユーザが参加するセッションとは別に、内緒話を行うユーザのみからなるセッションが必要となる。この場合、内緒話に参加するユーザが変わるときには、その度に新たなセッションが必要となる。
【０００９】
このように複数のセッションを開催することは、通信に利用するネットワーク上で消費されるリソースが増加するだけでなく、複数のセッションが並立してしまうことから、これら複数のセッションについての煩雑な管理が必要となるという問題がある。
【００１０】
尚、ここまで、ＰｏＣを利用した通信システムを例に挙げて、セッションに参加するユーザ間で、セッションに参加しているユーザのうちの一部のユーザだけと通話する際の問題について説明したが、このような問題は、複数の端末装置間で同報的なデータ通信を行う通信システムに共通して生じ得る問題である。
【００１１】
本発明は、上記事情に鑑み、複数の端末装置間での同報的なデータ通信において、一部の端末装置だけと簡単に通信することができる通信システム、そのような通信システムで使われるサーバ装置、及びそのような通信システムで使われる端末装置を提供することを目的とする。
【課題を解決するための手段】
【００１２】
上記目的を達成する本発明の通信システムは、複数の端末装置と、サーバ装置とを備え、各端末装置から音声を表わす音声データを送信し、その音声データをサーバ装置で他の端末装置に転送し、その他の端末装置でその音声をリアルタイムに再生する通信システムにおいて、
上記サーバ装置が、
上記端末装置から送信されてきた音声データを受信する音声データ受信部と、
上記音声データ受信部で受信された音声データを、上記複数の端末装置のうち、その音声データを発信した発信端末装置を除く他の各端末装置に向けて転送する音声データ転送部と、
上記端末装置が上記発信端末装置となったときに音声データ転送部によって上記音声データが転送されるべき転送端末装置が、その発信端末装置となる端末装置に対応付けられて設定される転送先設定部と、
上記音声データ転送部によって音声データが転送される際に、その音声データを上記転送端末装置に限定して転送させる転送限定部とを備えたものであり、
上記端末装置が、
上記音声データを送信する音声データ送信部と、
上記サーバ装置から転送されてきた音声データを受信する転送音声データ受信部と、
上記転送音声データ受信部で受信された音声データが表わす音声をリアルタイムで再生する音声再生部とを備えたものであることを特徴とする。
【００１３】
ここで、本発明の通信システムは、「上記サーバ装置の受信端末設定部は、上記音声データの転送が禁止されるべき非転送端末装置が設定されることで間接的に上記転送端末装置が設定されるものである」という形態であっても良い。
【００１４】
本発明の通信システムによれば、上記発信端末装置からの音声データは、上記転送先設定部にその発信端末装置に対応付けられて設定された転送端末装置にのみに転送される。つまり、この本発明の通信システムによれば、例えば、所望の転送端末装置あるいは非転送装置を予め上記転送先設定部に設定しておく等といった運用により、複数の端末装置間での同報的なデータ通信において、その設定に従った一部の端末装置だけと簡単に通信することができる。
【００１５】
また、本発明の通信システムにおいて、「上記サーバ装置の受信端末設定部が、上記複数の端末装置それぞれに対して上記転送端末装置が対応付けられて設定されるものである」という形態は好ましい形態である。
【００１６】
この好ましい形態の通信システムによれば、各端末装置毎に限定的な通信相手が予め決まっている場合に、各端末装置それぞれについてその限定的な通信相手を上記転送端末装置として設定しておくことにより、通信中は、上記発信端末装置の、限定された通話相手が自動的に決まるので、そのような通信相手を限定した通信を一層簡単に行うことができる。
【００１７】
また、本発明の通信システムにおいて、「上記端末装置が、
上記複数の端末装置それぞれに対する上記転送端末装置の対応関係を表した対応データを操作に応じて作成する対応データ作成部と、
上記対応データ作成部で作成された対応データを送信する対応データ送信部とを備えたものであり、
上記サーバ装置が、
上記対応データを受信して、その対応データが表す対応関係に従って上記転送端末装置を上記転送先設定部に設定する対応データ受信部を備えたものである」という形態も好ましい形態である。
【００１８】
この好ましい形態の通信システムによれば、上記対応データは、上記複数の端末装置のうちの１つの端末装置でユーザの操作に応じて作成され、その端末装置から適当なタイミングで上記サーバ装置に送られる。これにより、各端末装置についての通信相手を柔軟に設定することが可能となる。
【００１９】
また、本発明の通信システムにおいて、「上記端末装置が、
自装置が上記発信端末装置となるときの上記転送端末装置が入力操作によって入力される転送端末入力部と、
上記転送端末入力部で入力された転送端末装置を上記サーバ装置に通知する転送端末通知部とを備えたものであり、
上記サーバ装置が、
上記端末装置から上記転送端末装置の通知を受けて上記転送先設定部に、その転送端末装置を通知してきた端末装置に対応付けてその転送端末装置を設定する通知設定部を備えたものである」という形態も好ましい。
【００２０】
この好ましい形態の通信システムによれば、自装置が送信した音声データの転送先を、その自装置において指定することが可能となるので、各端末装置についての通信相手をより柔軟に設定することができる。
【００２１】
また、本発明の通信システムにおいて、「上記サーバ装置が、
上記複数の端末装置のうち、上記発信端末装置を除く他の端末装置に向けて、他装置が発信端末装置となっていることを示すビジー情報を送信するビジー情報送信部を備えたものであり、
上記端末装置が、
上記ビジー情報を受信して、自装置のユーザに、他装置が発信端末装置であること通知するビジー通知部を備えたものである」という形態や、
「上記サーバ装置が、
上記複数の端末装置のうち、上記発信端末装置を除く他の各端末装置に向けて、他装置が発信端末装置となっていることを示すビジー情報を送信するビジー情報送信部を備えたものであり、
上記端末装置が、
上記ビジー情報を受信して、自装置のユーザに、他装置が発信端末装置であること画像で通知するビジー通知部を備えたものである」という形態も好ましい形態である。
【００２２】
これらの好ましい形態の通信システムによれば、上記非転送端末装置のユーザは、現在、自分の端末装置で音声は再生されていないが、発言は不可であることを明示的に知ることができる。
【００２３】
また、本発明の通信システムにおいて、「上記サーバ装置が、
上記複数の端末装置のうち、上記発信端末装置を除く他の端末装置に向けて、他装置が発信端末装置となっていることを、どの端末装置が発信端末装置であるかは秘匿された形式で示すビジー情報を送信するビジー情報送信部を備えたものであり、
上記端末装置が、
上記ビジー情報を受信して、自装置のユーザに、他装置が発信端末装置であることを通知するビジー通知部を備えたものである」という形態や、
「上記サーバ装置が、
上記複数の端末装置のうち、上記発信端末装置を除く他の端末装置に向けて、他装置が発信端末装置となっていることを、どの端末装置が発信端末装置であるかは秘匿された形式で示すビジー情報を送信するビジー情報送信部を備えたものであり、
上記端末装置が、
上記ビジー情報を受信して、自装置のユーザに、他装置が発信端末装置であることを、その発信端末装置が特定不能な画像で通知するビジー通知部を備えたものである」という形態も好ましい。
【００２４】
この好ましい形態の通信システムによれば、例えば、上記転送端末装置のユーザ以外のユーザには通信中のユーザが誰なのかを知られたくない場合等に、それらのユーザに、現在通信中であることを上記画像等で知らせつつも、それがどのユーザによる通信なのかを秘匿することができる。
【００２５】
また、本発明の通信システムにおいて、「上記端末装置が、
自装置が上記発信端末装置となったことを秘匿するべき秘匿端末装置が入力操作によって入力される秘匿端末入力部と、
上記秘匿端末入力部で入力された秘匿端末装置を上記サーバ装置に通知する秘匿端末通知部とを備えたものであり、
上記サーバ装置が、
上記複数の端末装置のうち上記秘匿端末装置に向けて、他装置が発信端末装置となっていることを、どの端末装置が発信端末装置であるかは秘匿された形式で示すビジー情報を送信するビジー情報送信部を備えたものであり、
上記端末装置が、さらに、
上記ビジー情報を受信して、自装置のユーザに、他装置が発信端末装置であることを通知するビジー通知部を備えたものである」という形態はさらに好ましい形態である。
【００２６】
この好ましい形態の通信システムによれば、例えば自装置が発信端末装置となる際等に、上記秘匿端末装置を入力することにより、自装置が発信端末装置となっていることを秘匿したいユーザを任意に指定することができる。
【００２７】
また、本発明の通信システムにおいて、「上記サーバ装置が、
上記複数の端末装置のうち、上記発信端末装置と上記転送端末装置との双方を除く他の端末装置に向けて、上記音声データが転送されないことが少なくとも端末装置側で確認可能な非転送確認情報を送信する確認情報送信部を備えたものであり、
上記端末装置が、
上記非転送確認情報を受信して、その非転送確認情報に基づいて、自装置が上記発信端末装置からの音声データの転送を止められていることを確認する確認部と、
上記確認部で、転送が止められていることが確認された場合に、自装置のユーザに、自装置が上記音声データの転送を受けていないことを通知する非転送通知部を備えたものである」という形態や、
「上記サーバ装置が、
上記複数の端末装置のうち、上記発信端末装置と上記転送端末装置との双方を除く他の端末装置に向けて、上記音声データが転送されないことが少なくとも端末装置側で確認可能な非転送確認情報を送信する確認情報送信部を備えたものであり、
上記端末装置が、
上記非転送確認情報を受信して、その非転送確認情報に基づいて、自装置が上記発信端末装置からの音声データの転送を止められていることを確認する確認部と、
上記確認部で、転送が止められていることが確認された場合に、自装置のユーザに、自装置が上記音声データの転送を受けていないことを画像で通知する非転送通知部を備えたものである」という形態も好ましい形態である。
【００２８】
これらの好ましい形態の通信システムによれば、上記非転送端末装置のユーザは、現在、自分には無用の件で取り込み中であることを、上記画像等によって把握することができる。
【００２９】
また、本発明の通信システムは、「上記サーバ装置が、
上記複数の端末装置のうち、上記発信端末装置と上記転送端末装置との双方を除く他の端末装置に向けて、上記音声データが転送されないこと明示した非転送明示情報を送信する明示情報送信部を備えたものであり、
上記端末装置が、
上記非転送明示情報を受信して、自装置のユーザに、自装置が上記音声データの転送を受けていないことを通知する非転送通知部を備えたものである」という形態であっても良く、あるいは、
「上記サーバ装置が、
上記複数の端末装置のうち、上記発信端末装置を除く他の各端末装置に向けて、その発信端末装置となった端末装置を示す発信端末情報を送信する発信端末送信部を備えたものであり、
上記端末装置が、
上記複数の端末装置それぞれに対する上記転送端末装置の対応関係を記憶した対応記憶部と、
上記発信端末情報を受信して、その受信した発信端末情報が示す端末装置を上記対応記憶部に記憶されている対応関係と照らし合わせることで、自装置が上記発信端末装置からの音声データの転送を止められているか否かを判定する判定部と、
上記判定部で、転送が止められていると判定された場合に、自装置のユーザに、自装置が上記音声データの転送を受けていないことを通知する非転送通知部を備えたものである」という形態であっても良い。
【００３０】
これらの形態では、各端末装置は自装置が音声データの転送を止められているか否かを直接的あるいは間接的に認識することとなる。
【００３１】
また、本発明の通信システムは、「上記端末装置が、
自装置を含む複数の端末装置を指定して、その複数の端末装置間における上記音声データの転送の開始を上記サーバ装置に要求する開始要求部を備えたものであり、
上記サーバ装置が、
上記端末装置から上記転送の開始が要求された場合に、上記音声データ転送部に、指定されている複数の端末装置相互間での上記音声データの転送を開始させる転送開始部と、
上記複数の端末装置それぞれに対する上記転送端末装置の対応関係を表す対応データを、上記音声データ転送部による上記音声データの転送が開始されたときに、それら複数の端末装置それぞれに配信する対応データ配信部と、
上記複数の端末装置のうち、上記発信端末装置を除く他の各端末装置に向けて、その発信端末装置となった端末装置を示す発信端末情報を送信する発信端末送信部を備えたものであり、
上記端末装置が、さらに、
上記サーバ装置から配信された対応データを受け取って、その対応データが表す対応関係を記憶する対応記憶部と、
上記発信端末情報を受信して、その受信した発信端末情報が示す端末装置を上記対応記憶部に記憶されている対応関係と照らし合わせることで、自装置が上記発信端末装置からの音声データの転送を止められているか否かを判定する判定部と、
上記判定部で、転送が止められていると判定された場合に、自装置のユーザに、自装置が上記音声データの転送を受けていないことを通知する非転送通知部を備えたものである」という形態であっても良い。
【００３２】
この形態の通信システムでは、通信が開始されるタイミングで、上記対応関係が、例えばそのような対応関係を把握しているユーザ等によって、上記サーバ装置を介して各端末装置に配信されることとなる。
【００３３】
また、本発明の通信システムにおいて、「上記サーバ装置が、
上記複数の端末装置のうち、上記発信端末装置と上記転送端末装置との双方を除く他の端末装置に向けて、上記音声データが転送されないことが少なくとも端末装置側で確認可能な非転送確認情報を送信する確認情報送信部を備えたものであり、
上記端末装置が、
上記非転送確認情報を受信して、その非転送確認情報に基づいて、自装置が上記発信端末装置からの音声データの転送を止められていることを確認する確認部と、
上記確認部で、転送が止められていることが確認された場合に、上記音声再生部による音声の再生に替えて所定の他の音声を再生する代替音声再生部を備えたものである」という形態も好ましい形態である。
【００３４】
この好ましい形態の通信システムによれば、通信中の音声データの転送が止められている端末装置でも、全く音声が再生されないのではなく例えば所定のメロディ等といった他の音声が再生されるので、その端末装置のユーザの疎外感等を和らげることが可能となる。
【００３５】
また、本発明の通信システムにおいて、「上記複数の端末装置のうち少なくとも１つの端末装置が、
この通信システム以外の、上記複数の端末装置とは少なくとも一部の端末装置が異なる複数の端末装置を含む別の通信システムを構成するものであって、
この通信システムへの参加の可否を問われて返答する参加可否返答部を備えたものであり、
上記複数の端末装置それぞれが、
自装置が上記発信端末装置となるときの上記転送端末装置が入力操作によって入力される転送端末入力部と、
上記転送端末入力部で入力された転送端末装置を上記サーバ装置に通知する転送端末通知部とを備えたものであり、
上記サーバ装置が、
上記端末装置から上記転送端末装置の通知を受け、その転送端末装置が上記別の通信システムを構成するものである場合に、その転送端末装置に、この通信システムへの参加の可否を問う参加可否質問部と、
上記参加可否質問部による問いに対する返答を入手し、その返答が参加可を示している場合に、その返答を返してきた端末装置を、上記転送端末装置を通知してきた端末装置に対応した転送端末装置として上記転送先設定部に設定する返答設定部とを備えたものである」という形態も好ましい形態である。
【００３６】
この好ましい形態の通信システムによれば、この通信システムによる通信に現在参加していない端末装置に対して、この通信システムによる通信への参加を呼びかけることができる。
【００３７】
また、上記目的を達成する本発明のサーバ装置は、複数の端末装置と、サーバ装置とを備え、各端末装置から音声を表わす音声データを送信し、その音声データをサーバ装置で他の端末装置に転送し、その他の端末装置でその音声をリアルタイムに再生する通信システムで使用されるサーバ装置において、
上記端末装置から送信されてきた音声データを受信する音声データ受信部と、
上記音声データ受信部で受信された音声データを、上記複数の端末装置のうち、その音声データを発信した発信端末装置を除く他の各端末装置に向けて転送する音声データ転送部と、
上記端末装置が上記発信端末装置となったときに音声データ転送部によって上記音声データが転送されるべき転送端末装置が、その発信端末装置となる端末装置に対応付けられて設定される転送先設定部と、
上記音声データ転送部によって音声データが転送される際に、その音声データを上記転送端末装置に限定して転送させる転送限定部とを備えたことを特徴とする。
【００３８】
この本発明のサーバ装置によれば、複数の端末装置間での同報的なデータ通信において、一部の端末装置だけと簡単に通信することができる通信システムを容易に実現することができる。
【００３９】
また、上記目的を達成する本発明の端末装置のうちの第１の端末装置は、複数の端末装置と、サーバ装置とを備え、各端末装置から音声を表わす音声データを送信し、その音声データをサーバ装置で他の端末装置に転送し、その他の端末装置でその音声をリアルタイムに再生する通信システムで使用される端末装置において、
上記サーバ装置が、上記端末装置から送信されてきた音声データを受信する音声データ受信部と、上記音声データ受信部で受信された音声データを、上記複数の端末装置のうち、その音声データを発信した発信端末装置を除く他の各端末装置に向けて転送する音声データ転送部と、上記端末装置が上記発信端末装置となったときに音声データ転送部によって上記音声データが転送されるべき転送端末装置が、その発信端末装置となる端末装置に対応付けられて設定される転送先設定部と、上記音声データ転送部によって音声データが転送される際に、その音声データを上記転送端末装置に限定して転送させる転送限定部と、上記複数の端末装置それぞれに対する上記転送端末装置の対応関係を表した対応データを受信して、その対応データが表わす対応関係に従って上記転送端末装置を上記転送先設定部に設定する対応データ受信部とを有したものであり、
上記対応関係を表した対応データを操作に応じて作成する対応データ作成部と、
上記対応データ作成部で作成された対応データを送信する対応データ送信部と、
上記音声データを送信する音声データ送信部と、
上記サーバ装置から転送されてきた音声データを受信する転送音声データ受信部と、
上記転送音声データ受信部で受信された音声データが表わす音声をリアルタイムで再生する音声再生部とを備えたことを特徴とする。
【００４０】
また、上記目的を達成する本発明の端末装置のうちの第２の端末装置は、複数の端末装置と、サーバ装置とを備え、各端末装置から音声を表わす音声データを送信し、その音声データをサーバ装置で他の端末装置に転送し、その他の端末装置でその音声をリアルタイムに再生する通信システムで使用される端末装置において、
上記サーバ装置が、上記端末装置から送信されてきた音声データを受信する音声データ受信部と、上記音声データ受信部で受信された音声データを、上記複数の端末装置のうち、その音声データを発信した発信端末装置を除く他の各端末装置に向けて転送する音声データ転送部と、上記端末装置が上記発信端末装置となったときに音声データ転送部によって上記音声データが転送されるべき転送端末装置が、その発信端末装置となる端末装置に対応付けられて設定される転送先設定部と、上記音声データ転送部によって音声データが転送される際に、その音声データを上記転送端末装置に限定して転送させる転送限定部と、この端末装置から上記転送端末装置の通知を受けて上記転送先設定部に、その転送端末装置を通知してきた端末装置に対応付けてその転送端末装置を設定する通知設定部とを有するものであり、
自装置が上記発信端末装置となるときの上記転送端末装置が入力操作によって入力される転送端末入力部と、
上記転送端末入力部で入力された転送端末装置を上記サーバ装置に通知する転送端末通知部と、
上記音声データを送信する音声データ送信部と、
上記サーバ装置から転送されてきた音声データを受信する転送音声データ受信部と、
上記転送音声データ受信部で受信された音声データが表わす音声をリアルタイムで再生する音声再生部とを備えたものであることを特徴とする。
【００４１】
また、上記目的を達成する本発明の端末装置のうちの第３の端末装置は、複数の端末装置と、サーバ装置とを備え、各端末装置から音声を表わす音声データを送信し、その音声データをサーバ装置で他の端末装置に転送し、その他の端末装置でその音声をリアルタイムに再生する通信システムで使用される端末装置において、
上記サーバ装置が、上記端末装置から送信されてきた音声データを受信する音声データ受信部と、上記音声データ受信部で受信された音声データを、上記複数の端末装置のうち、その音声データを発信した発信端末装置を除く他の各端末装置に向けて転送する音声データ転送部と、上記端末装置が上記発信端末装置となったときに音声データ転送部によって上記音声データが転送されるべき転送端末装置が、その発信端末装置となる端末装置に対応付けられて設定される転送先設定部と、上記音声データ転送部によって音声データが転送される際に、その音声データを上記転送端末装置に限定して転送させる転送限定部と、上記複数の端末装置のうち、上記発信端末装置を除く他の端末装置に向けて、他装置が発信端末装置となっていることを、どの端末装置が発信端末装置であるかは秘匿された形式で示すビジー情報を送信するビジー情報送信部とを備えたものであり、
上記ビジー情報を受信して、自装置のユーザに、他装置が発信端末装置であることを、その発信端末装置が特定不能な画像で通知するビジー通知部と、
上記音声データを送信する音声データ送信部と、
上記サーバ装置から転送されてきた音声データを受信する転送音声データ受信部と、
上記転送音声データ受信部で受信された音声データが表わす音声をリアルタイムで再生する音声再生部とを備えたものであることを特徴とする。
【００４２】
また、上記目的を達成する本発明の端末装置のうちの第４の端末装置は、複数の端末装置と、サーバ装置とを備え、各端末装置から音声を表わす音声データを送信し、その音声データをサーバ装置で他の端末装置に転送し、その他の端末装置でその音声をリアルタイムに再生する通信システムで使用される端末装置において、
上記サーバ装置が、上記端末装置から送信されてきた音声データを受信する音声データ受信部と、上記音声データ受信部で受信された音声データを、上記複数の端末装置のうち、その音声データを発信した発信端末装置を除く他の各端末装置に向けて転送する音声データ転送部と、上記端末装置が上記発信端末装置となったときに音声データ転送部によって上記音声データが転送されるべき転送端末装置が、その発信端末装置となる端末装置に対応付けられて設定される転送先設定部と、上記音声データ転送部によって音声データが転送される際に、その音声データを上記転送端末装置に限定して転送させる転送限定部と、上記複数の端末装置のうち、上記発信端末装置と上記転送端末装置との双方を除く他の端末装置に向けて、上記音声データが転送されないことが少なくとも端末装置側で確認可能な非転送確認情報を送信する確認情報送信部とを備えたものであり、
上記非転送確認情報を受信して、その非転送確認情報に基づいて、自装置が上記発信端末装置からの音声データの転送を止められていることを確認する確認部と、
上記確認部で、転送が止められていることが確認された場合に、自装置のユーザに、自装置が上記音声データの転送を受けていないことを通知する非転送通知部と、
上記音声データを送信する音声データ送信部と、
上記サーバ装置から転送されてきた音声データを受信する転送音声データ受信部と、
上記転送音声データ受信部で受信された音声データが表わす音声をリアルタイムで再生する音声再生部とを備えたものであることを特徴とする。
【００４３】
これら本発明の第１から第４の端末装置によれば、複数の端末装置間での同報的なデータ通信において、一部の端末装置だけと簡単に通信することができる通信システムを容易に実現することができる。さらに、本発明の第１の端末装置によれば、各通信装置についての通信相手をまとめて限定することが可能な通信システムを実現でき、本発明の第２の端末装置によれば、各通信装置についての通信相手を各端末装置毎に個別に限定することが可能な通信システムを実現できる。また、本発明の第３の端末装置によれば、通信相手になっていないユーザに上記発信端末装置を秘匿することが可能な通信システムを実現でき、本発明の第４の端末装置によれば、通信相手になっていないユーザにその旨を通知することが可能な通信システムを実現できる。
【００４４】
尚、本発明のサーバ装置、第１の端末装置、第２の端末装置、第３の端末装置、および第４の端末装置については、ここではその基本形態のみを示すに止めるが、これは単に重複を避けるためであり、本発明のサーバ装置、第１の端末装置、第２の端末装置、第３の端末装置、および第４の端末装置には、上記の基本形態のみではなく、前述した通信システムの各形態に対応する各種の形態が含まれる。
【発明の効果】
【００４５】
以上、説明したように、本発明によれば、複数の端末装置間での同報的なデータ通信において、一部の端末装置だけと簡単に通信することができる通信システム、そのような通信システムで使われるサーバ装置、及びそのような通信システムで使われる端末装置を得ることができる。
【発明を実施するための最良の形態】
【００４６】
以下図面を参照して本発明の実施の形態を説明する。
【００４７】
まず、本発明の第１実施形態について説明する。
【００４８】
本発明の第１実施形態の通信システムは、不特定多数の携帯電話機間で、所定の基地局を介して、相互に１対１の通話や電子メールの通信が行われ、さらには、任意に指定された複数の携帯電話機間で、１つの携帯電話機が送信した音声データを同報的に他の携帯電話機で受信する同報通信がいわゆるＰｏＣを利用して行われる通信環境上に構築されるものである。
【００４９】
本発明の第１実施形態の通信システムは、基地局が、その基地局内に予め登録されている後述の４台の携帯電話機との間に通信回線を開くことで構築されるものであり、基本的には、それら４台の携帯電話機間で上記の同報通信を行うものである。
【００５０】
図１は、本発明の第１実施形態である通信システムを示す模式図である。
【００５１】
この図１に示す通信システム１は、４台の携帯電話機１００＿１，１００＿２，１００＿３，１００＿４と１台の基地局２００とで構成される。そして、これら４台の携帯電話機１００＿１，１００＿２，１００＿３，１００＿４のうちのいずれかの携帯電話機から、後述のセッション要求信号が発信されると、基地局２００に備えられているＰｏＣサーバ３００がそのセッション要求信号を受信して、各携帯電話機１００＿１，１００＿２，１００＿３，１００＿４との間に通信回線を開くことでこの通信システム１が構築される。尚、本実施形態では、ＰｏＣサーバ３００内に、４台の携帯電話機１００＿１，１００＿２，１００＿３，１００＿４それぞれの電話番号が予め記憶されており、通信システム１の構築は、これらの電話番号を使って行われる。
【００５２】
この通信システム１では、ＰｏＣサーバ３００は、各携帯電話機それぞれから、音声データを送信する権利（話者権）の要求を受け付けて、最先にこの要求を行った携帯電話機に話者権を付与する。そして、話者権を有する携帯電話機が送信する音声データが、このＰｏＣサーバ３００によって他の３台の携帯電話機に同報的に転送される。このような同報通信により、４台の携帯電話機１００＿１，１００＿２，１００＿３，１００＿４それぞれのユーザ間で、１人のユーザの発言を、他の３人のユーザが同時に聞くという同報的な通話（セッション）が行われる。例えば、図１に示すように、ユーザＡ、ユーザＢ、ユーザＣ、およびユーザＤをセッションメンバーとするセッションの開催中に、ユーザＡの携帯電話機１００＿１に話者権が付与されると、その携帯電話機１００＿１が送信した音声データが、他の３人のユーザの携帯電話機１００＿２，１００＿３，１００＿４に同報的に転送される。
【００５３】
話者権を有する携帯電話機のユーザが発言を終えると話者権はＰｏＣサーバ３００に返還され、他の携帯電話機での話者権の取得が可能となる。図１の通信システム１では、セッション開催中にこのような話者権の取得と返還とが複数の携帯電話機の間で繰り返されることで、セッションメンバー間での通話が可能となる。
【００５４】
この通信システム１では、基本的には、ＰｏＣサーバ３００を介したこのような同報通信が行われる。ここで、この通信システム１では、話者権を取得した１台の携帯電話機からの音声データを他の３台の携帯電話機全てに転送するのではなく、転送先を限定して転送する限定的同報通信を行うこともできる。以下では、１台の携帯電話機からの音声データを他の３台の携帯電話機全てに転送する同報通信を、限定的同報通信に対して通常の同報通信と呼ぶ。
【００５５】
通信システム１では、セッション開始直後の通信方式は通常の同報通信となっている。このとき、通常の同報通信において話者権を取得した１台の携帯電話機が、ユーザから、通常の同報通信から限定的同報通信に通信方式を切り替える旨を指示する後述の指示操作を受けると、その携帯電話機がこの切替指示を示す切替信号を発信する。すると、ＰｏＣサーバ３００がその切替信号の指示に従って通信方式を限定的同報通信に切り替える。また、限定的同報通信において話者権を取得した１台の携帯電話機が、ユーザから、限定的同報通信から通常の同報通信に通信方式を切り替える旨を指示する後述の指示操作を受けると、その携帯電話機がこの切替指示を示す切替信号を発信する。すると、ＰｏＣサーバ３００はその切替信号の指示に従って通信方式を通常の同報通信に切り替える。このように、通信システム１では、上記の２種類の通信方式のうちいずれの通信方式下でも、話者権を取得した１台の携帯電話機に対するユーザの指示操作によって通信方式が切り替えられることとなる。
【００５６】
次に、この通信システム１を構成する携帯電話機のハードウェア構成について説明する。尚、４台の携帯電話機１００＿１，１００＿２，１００＿３，１００＿４は、互いに同じ構成を有しているため、以下では、この構成を有する１つの携帯電話機１００について説明する。
【００５７】
図２は、携帯電話機１００の外観斜視図である。
【００５８】
図２に示す携帯電話機１００は、通話時にユーザが耳に当てる上部筐体１００Ａと、ユーザが手で持つ下部筐体１００Ｂとが、ヒンジ部１００Ｃを中心に折りたたみ自在に連結されている。
【００５９】
上部筐体１００Ａには、メニュー画面や、撮影画像などが表示される液晶パネル１０１、および内部にスピーカが配備され、スピーカから発せられる音声を放つための送話口１０２が備えられており、上部筐体１００Ａの側面には、上述したセッション時に音声データを送信する際に押す話者スイッチ１００Ｄも備えられている。
【００６０】
また、下部筐体１００Ｂには、各種機能の選択や、撮影を行う際のシャッタボタンとして使用される選択ボタン１０４、電話番号等を入力するためのプッシュボタン１０５、および内部にマイクロフォンが配備され、声をマイクロフォンに伝えるための受話口１０６が備えられている。
【００６１】
続いて、携帯電話機１００の内部構造について説明する。
【００６２】
図３は、携帯電話機１００の内部ブロック図である。
【００６３】
図３には、ＣＰＵ１１０、ＲＯＭ１１１、不揮発メモリ１１２、ＲＡＭ１１３、マイクデバイス１２１、表示デバイス１２２、スピーカデバイス１２３、キーデバイス１２４、カメラデバイス１２５、時計１２６、赤外線デバイス１３１、第１通信デバイス１３２、第２通信デバイス１３３、再生デバイス１３４、メディアコントローラ１４０、および充電地１５０が示されており、これらの間はバスを介して互いに接続されている。また、この図３には、図２にも示す話者スイッチ１００Ｄも示されている。
【００６４】
ＣＰＵ１１０は、各種プログラムを実行する機能を有し、この携帯電話機１００の全体を制御している。
【００６５】
ＲＯＭ１１１には、ＣＰＵ１１０で実行される各種プログラムやそれら各種プログラムの実行に必要な各種定数が記憶されており、ＣＰＵ１１０は、ＲＯＭ１１１に記憶されたプログラムをＲＡＭ１１３を作業領域として使いながら実行する。
【００６６】
不揮発メモリ１１２には、アドレス帳や受信した電子メールなど、書き換えられることがありうる各種情報が記録されている。
【００６７】
マイクデバイス１２１は、ユーザの声をピックアップするマイクロホンを有し、そのマイクロホンでピックアップされた声を処理する機能ブロックである。
【００６８】
スピーカデバイス１２３は、ユーザに向けて音声を出力するスピーカを有し、そのスピーカを駆動する音声信号を生成する機能ブロックである。
【００６９】
カメラデバイス１２５は、写真撮影による画像データの収集を司るブロックであり、表示デバイス１２２は、液晶パネル１０１（図２参照）への画像表示を司るブロックであり、キーデバイス１２４は、ユーザによる各種キー操作を検出するブロックであり、時計１２６は、現在時刻を取得するためのブロックである。
【００７０】
メディアコントローラ１４０は、装填された記録メディア１４１からデータを読み出したり、カメラデバイス１２５で生成された画像データ等を記録メディア１４１に書き込むためのものである。
【００７１】
赤外線デバイス１３１は、近距離にある外部装置に、画像や電話番号などを基地局２００を介さずに赤外線通信によって送信するためのものである。
【００７２】
また、第１通信デバイス１３２は、図１に示す基地局２００を介して、相互に１対１の通話や電子メールの通信を行うためのものであり、エラー発生時の再送処理などが取り決められた信頼性の高い高信頼通信方式（本実施形態においては、ＴＣＰ／ＩＰ）が採用される。
【００７３】
第２通信デバイス１３３は、図１に示すＰｏＣサーバ３００を介して他の複数の携帯電話機と同報通信を行うためのものであり、基本的には、エラー発生時の再送処理などが省かれて処理の高速化が図られた高速通信方式（本実施形態においては、ＵＤＰ）によって音声データが通信されるが、エラー発生時などには、上述した高信頼通信方式によって各種データが通信される。
【００７４】
携帯電話機１００は、基本的には以上のように構成されている。
【００７５】
ここで、図１に示す通信システム１における本発明の一実施形態としての特徴は、携帯電話機１００やＰｏＣサーバ３００で実現される同報通信の機能にある。
【００７６】
以下、この同報通信機能について説明する。
【００７７】
図４は、図２の携帯電話機１００を同報通信機能に注目して示す機能ブロック図であり、図５は、図１のＰｏＣサーバ３００を同報通信機能に注目して示す機能ブロック図である。
【００７８】
図４の携帯電話機１００は、話者権の要求が容れられるとユーザからの音声を表わす音声データをＰｏＣサーバ３００に送信する機能と、ＰｏＣサーバ３００から送られてきた音声データが表わす音声を再生する機能とを有するものであり、本発明の端末装置の一例に相当する。この携帯電話機１００は、セッション開始要求部１７１、セッション開始受信部１７２、セッション開始通知部１７３、話者権要求部１７４、話者情報受信部１７５、話者表示部１７６、音声データ送信部１７７、音声入力部１７８、音声データ受信部１７９、および音声再生部１８０を備えている。
【００７９】
また、図５のＰｏＣサーバ３００は、最先に話者権を要求してきた携帯電話機１００に話者権を付与するとともに、限定的同報通信によるセッションの場合には、その携帯電話機１００からの音声データを、その携帯電話機１００について予め決められている転送先に転送するものであり、本発明のサーバ装置の一実施形態に相当する。このＰｏＣサーバ３００は、セッション開始部３０１、受信者把握部３０２、話者権付与部３０３、話者情報送信部３０４、音声データ受信部３０５、音声データ転送部３０６、セッションメンバー記憶部３０７、および受信者記憶部３０８を備えている。
【００８０】
以下、セッション開始の要求から、音声の再生までの処理の流れに沿って、ＰｏＣサーバ３００および携帯電話機１００それぞれの各構成要素について説明する。
【００８１】
セッション開始の際には、図１の４台の携帯電話機１００のうち任意の携帯電話機１００のセッション開始要求部１７１が、ユーザからの所定操作を受けて、上記のセッション要求信号Ｓ１＿１をＰｏＣサーバ３００に向けて送信する。本実施形態では、図１の通信システム１には識別名称が付されており、このＰｏＣサーバ３００のセッションメンバー記憶部３０７には、上記の４台の携帯電話機１００の電話番号のリストが、その識別名称に対応付けられて記憶されている。上記のセッション要求信号Ｓ１＿１には、この通信システム１の識別名称が含まれている。
【００８２】
セッション要求信号Ｓ１＿１は、ＰｏＣサーバ３００のセッション開始部３０１で受信される。セッション開始部３０１は、そのセッション要求信号Ｓ１＿１に含まれる識別名称でセッションメンバー記憶部３０７内を検索し、その識別名称に対応する携帯電話機１００の電話番号のリストを取得する。次に、セッション開始部３０１は、セッションメンバー記憶部３０７から取得したリストの電話番号の携帯電話機１００それぞれについて回線を開き、各携帯電話機１００に向けて、これらの携帯電話機１００のユーザによるセッションが開始された旨を表すセッション開始信号Ｓ１＿２を送信する。ここで、本実施形態では、各電話番号には、その電話番号の携帯電話機のユーザの名前が対応付けられており、セッション開始信号Ｓ１＿２では、セッションメンバー全員の名前が示される。さらに、上記の回線を開く際に話中等により回線が繋がらなかった携帯電話機１００のユーザについてはその旨も示される。
【００８３】
尚、本実施形態では、セッションの開始方法として、上記のセッション開始部３０１が各携帯電話機１００の電話番号を使って回線を開く方法、つまり、ＰｏＣサーバ側から各携帯電話機に対して直接に回線が開かれる方法が例示されているが、本発明はこれに限るものではない。一般的な携帯電話機の中には、ＩＰ網への接続に所定の準備が必要なものも多い。このような携帯電話機に対するセッションの開始方法は、例えば、ＰｏＣサーバが、まず、ＩＰ網を介さずに各携帯電話機に接続を指示し、その後に、各携帯電話機におけるＩＰ網への接続準備を経て、各携帯電話機側からＰｏＣサーバに対して回線が開かれるという方法等であっても良い。この方法では、ＰｏＣサーバが、接続を指示する指示信号を、例えばＳＭＳ（ショートメッセージサービス）等といった、携帯電話機側でＩＰ網を介さずに受信可能な信号形式で各携帯電話機に送信する。すると、その指示信号を受信した各携帯電話機がＩＰ網への接続準備を実行し、その後に、各携帯電話機がＰｏＣサーバにＩＰ網を介して接続することでＰｏＣサーバと各携帯電話機との間にＩＰ網を介した回線が開かれることとなる。
【００８４】
セッション開始信号Ｓ１＿２は、各携帯電話機１００のセッション開始受信部１７２で受信され、セッション開始通知部１７３に渡される。そして、セッション開始通知部１７３は、そのセッション開始信号Ｓ１＿２に基づいて、図２に示す液晶パネル１０１に、セッションの開始をユーザに通知するセッション画面を表示する。このセッション画面は、セッション開始直後の通信方式である通常の同報通信に対応したものである。ここで、このセッション画面は、後述するように通信方式が限定的同報通信に切り替えられたときに表示される、限定的同報通信に対応したセッション画面の一部が省略された画面であるので、以下では、限定的同報通信についてのセッション画面を代表的に示して説明を続ける。
【００８５】
図６は、限定的同報通信についてのセッション画面の一例を示す図である。
【００８６】
この図６に示すセッション画面１８１は、図中右端にセッションメンバー全員の名前が携帯電話機１００の持ち主の名前を最上段にして記載されるユーザ欄１８１ａと、後述の受信者欄１８１ｂと、話者欄１８１ｃとを備えている。また、このセッション画面１８１では、回線が繋がらなかった携帯電話機１００のユーザに対応する欄がグレーで表示される。ここで、通常の同報通信についてのセッション画面は、この図６に示すセッション画面１８１から受信者欄１８１ｂが省略された画面となる。
【００８７】
このようにセッションが開始された後、発言を望むユーザが自分の携帯電話機１００の話者スイッチ１００Ｄを押すと、その携帯電話機１００の話者権要求部１７４が、ＰｏＣサーバ３００に向けて、話者権を要求する話者権要求信号Ｓ１＿３を送信する。ここで、この話者権要求信号Ｓ１＿３には、その話者権要求信号Ｓ１＿３を送信する携帯電話機１００の電話番号が添付されている。
【００８８】
各携帯電話機１００からの話者権要求信号Ｓ１＿３は、ＰｏＣサーバ３００の話者権付与部３０３で受信される。話者権付与部３０３は、各携帯電話機１００からの話者権要求信号Ｓ１＿３のうち最先の話者権要求信号Ｓ１＿３に添付されている電話番号の携帯電話機１００への話者権の付与を決定する。話者権付与部３０３は、このように話者権の付与を決定すると、その携帯電話機１００のユーザの名前を話者情報送信部３０４に通知し、話者情報送信部３０４が、その携帯電話機１００に話者権が付与された旨を通知する話者通知信号Ｓ１＿４を送信する。この話者権が付与される話者の携帯電話機１００が、本発明にいう発信端末装置の一例に相当する。
【００８９】
話者の携帯電話機１００では、話者情報送信部３０４からの話者通知信号Ｓ１＿４が、話者情報受信部１７５で受信される。話者情報受信部１７５は話者通知信号Ｓ１＿４の受信を受けて、自機が話者権を取得した旨を話者表示部１７６に通知する。話者表示部１７６は、上記の通常セッション画面を介してユーザに話者権の取得を知らせるとともに、通信方式を切り替えるか否かを問い合わせるメッセージを表示する。ここで、セッション開始直後の通信方式は通常の同報通信であるので、この問合せは、通常の同報通信から限定的同報通信に切り替えるか否かの問合せとなる。
【００９０】
尚、本実施形態では、セッション開始が必ず通常の同報通信で行われ、その後、以下に説明するユーザ操作が適宜に行われることによって通信方式が切り替えられるという例が示されているが、本発明はこれに限るものではない。本発明は、例えばこのセッション開始が通信システムごとに予め決められている通信方式で行われ、その通信システムでのセッション中はその通信方式が維持されるという形態であっても良い。この形態では、例えば通信システムについての識別名称が通信方式をも示すものであって、ユーザがこの識別名称を使ってセッション開始を要求すると、ＰｏＣサーバ側でこの識別名称が示す通信方式でのセッション開始が実行される等といった方法が採られる。また、この形態では、以下に説明する通信方式の切替えは不要となる。
【００９１】
本実施形態では、このメッセージとともに、通信方式の切り替えを選択する切替選択ボタンと通信方式の維持を選択する維持選択ボタンとが表示され、ユーザが、維持選択ボタンをクリック操作するという、通信方式を切り替えない旨を指示する指示操作を行うと、話者権要求部１７４がその旨を示す切替信号Ｓ１＿５をＰｏＣサーバ３００に向けて送信する。一方、ユーザが、切替選択ボタンをクリック操作するという、通信方式を切り替える旨を指示する指示操作を行うと、話者権要求部１７４がその旨を示す切替信号Ｓ１＿５をＰｏＣサーバ３００に向けて送信する。
【００９２】
話者の携帯電話機１００から送信されてきた切替信号Ｓ１＿５は、ＰｏＣサーバ３００の話者権付与部３０３で受信される。そして、話者権付与部３０３は、この切替信号Ｓ１＿５から今回の通信方式が通常の同報通信と限定的同報通信とのうちのいずれであるかを判断し、その判断結果を話者情報送信部３０４と受信者把握部３０２とに知らせる。また、話者権付与部３０３は、これら話者情報送信部３０４と受信者把握部３０２とに、話者の携帯電話機１００の電話番号も知らせる。
【００９３】
ここで、本実施形態では、限定的同報通信について、各携帯電話機１００が話者の携帯電話機１００となった際に、話者からの音声データを転送して受信させるべき受信者の携帯電話機１００が例えばシステム設計者等によって予め決められている。この受信者の携帯電話機１００が、本発明にいう転送端末装置の一例に相当する。そして、これら話者の携帯電話機１００と受信者の携帯電話機１００との対応関係（受信者対応関係）を、各携帯電話機１００の電話番号を使って示す受信対応データが、ＰｏＣサーバ３００の受信者記憶部３０８に記憶されている。この受信対応データが、本発明にいう対応データの一例に相当し、受信者記憶部３０８が、本発明にいう転送先設定部の一例に相当する。
【００９４】
受信者把握部３０２は、話者権付与部３０３から、今回の通信方式が限定的同報通信であることが知らされているときには、その話者権付与部３０３から話者の携帯電話機１００の電話番号を知らされると、受信者記憶部３０８内をその渡された電話番号を使って検索し、その携帯電話機１００に対応付けられている受信者の携帯電話機１００を把握する。受信者把握部３０２は、その把握した受信者の携帯電話機１００の電話番号を話者情報送信部３０４と音声データ転送部３０６に渡す。一方、今回の通信方式が通常の同報通信であることが知らされているときには、この受信者把握部３０２は、通信システム１に属する４台の携帯電話機１００のうち、話者の携帯電話機１００を除く他の３台全ての携帯電話機１００の電話番号を、受信者の携帯電話機１００の電話番号として話者情報送信部３０４と音声データ転送部３０６に渡す。この受信者把握部３０２が、本発明にいう転送限定部の一例に相当する。
【００９５】
話者情報送信部３０４は、今回の通信方式と、話者および受信者それぞれの携帯電話機１００の電話番号とを通知されると、話者の携帯電話機１００を除く他の携帯電話機１００に対して、今回の通信方式と、現在他の携帯電話機１００が話者権を取得している旨とを表わす話者情報Ｓ１＿６を作成する。
【００９６】
ここで、この話者情報Ｓ１＿６は、通信方式が記載される方式欄と、話者となったユーザの名前が記載される話者欄と、受信者となったユーザの名前が記載される受信者欄とを有している。
【００９７】
話者情報送信部３０４は、今回の通信方式が通常の同報通信である場合には、方式欄に通信方式として通常の同報通信が記載され、話者欄に話者となったユーザの名前が記載され、受信者欄が空欄となった話者情報Ｓ１＿６を作成し、図１の通信システム１に属する４台の携帯電話機１００全てに向けてこの話者情報Ｓ１＿６を送信する。
【００９８】
一方、今回の通信方式が限定的同報通信である場合には、セッションに参加しているユーザは、通信相手の限定状況によって、話者権を取得し音声データを発信する携帯電話機１００の持主である話者と、その話者からの音声データが転送され、その転送されてきた音声データを受信する携帯電話機１００の持主である受信者と、話者からの音声データの転送が不可となり、話者からの音声データを受信しない携帯電話機１００の持主である非受信者との３者に別れる。
【００９９】
この限定的同報通信の場合には、話者情報送信部３０４は、受信者向けの話者情報Ｓ１＿６と、非受信者向けの話者情報Ｓ１＿６との２種類の話者情報Ｓ１＿６を作成する。
【０１００】
受信者向けの話者情報Ｓ１＿６は、方式欄に通信方式として限定的同報通信が記載され、話者欄に話者となったユーザの名前が記載され、受信者欄に受信者となったユーザの名前が記載されたものであり、話者となったユーザの名前を示して現在そのユーザの携帯電話機１００が話者権を有している旨を表わすものである。一方、非受信者向けの話者情報Ｓ１＿６は、方式欄に通信方式として限定的同報通信が記載され、話者欄および受信者欄が共に空欄となったものであり、話者の名前は示さずに現在いずれかの携帯電話機１００が話者権を有している旨を表わすものである。限定的同報通信のときに作成されるこれら２種類の話者情報Ｓ１＿６が、本発明にいうビジー情報の一例に相当する。
【０１０１】
そして、話者情報送信部３０４は、これら２種類の話者情報Ｓ１＿６を、それぞれ受信者の携帯電話機１００、非受信者の携帯電話機１００に送信する。さらに、話者情報送信部３０４は、受信者向けの話者情報Ｓ１＿６については、話者の携帯電話機１００にも送信する。この話者情報送信部３０４が、本発明にいうビジー情報送信部の一例に相当する。
【０１０２】
携帯電話機１００の話者情報受信部１７５は、上記の話者情報Ｓ１＿６を受信し、まず、方式欄に記載されている通信方式が通常の同報通信であるのか限定的同報通信であるのかを確認し、確認した通信方式を話者表示部１７６に通知する。話者表示部１７６は、通知された通信方式が限定的同報通信であった場合には、セッション開始時に図２に示す液晶パネル１０１に表示されたセッション画面を、図６に示す限定的同報通信に対応したセッション画面１８１に変更する。尚、通信方式が通常の同報通信であった場合には、セッション開始時のセッション画面が維持される。
【０１０３】
次に、話者情報受信部１７５は、受信した話者情報Ｓ１＿６を話者表示部１７６に渡すとともに、上述した話者情報送信部３０４からの話者通知信号Ｓ１＿４が受信されていた場合には、この時点で音声入力部１７８に対して音声の受付を許可する。また、この話者通知信号Ｓ１＿４の受信がない場合には、話者情報受信部１７５は、受信した話者情報Ｓ１＿６の話者欄や受信者欄にユーザ名の記載があるか否かによって自機が受信者の携帯電話機１００であるか否かを判断する。そして、これらの欄にユーザ名の記載がある場合にのみ、音声再生部１８０に対して音声の再生を許可する。
【０１０４】
話者表示部１７６は、話者権の取得状況を、上記のセッション画面を使ってユーザに通知する。ここで、今回のセッションが通常の同報通信によるものである場合には、そのときに表示されるセッション画面は、上記の受信者欄１８１ｂが省略されているので、ユーザには話者が誰なのかのみが通知されることとなる。一方、今回のセッションが限定的同報通信によるものである場合には、渡された話者情報Ｓ１＿６が受信者向けと非受信者向けとのうちのいずれであるかによって通知内容が異なる。この話者表示部１７６は、受信者向けの話者情報Ｓ１＿６を受け取った場合、即ち携帯電話機１００が話者あるいは受信者の携帯電話機１００であった場合には、話者欄に記載されている話者と受信者欄に記載されている受信者とをユーザに対してそれぞれ明示する。また、この話者表示部１７６は、非受信者向けの話者情報Ｓ１＿６を受け取った場合、即ち携帯電話機１００が非受信者の携帯電話機１００であった場合には、話者欄と受信者欄とが空欄となっているので結果的にユーザには話者と受信者が秘匿される。この話者表示部１７６は、本発明にいうビジー通知部の一例に相当する。
【０１０５】
図７は、図６に示す限定的同報通信についてのセッション画面１８１で話者権の取得状況が示された様子を示す図である。
【０１０６】
図７のパート（ａ）には、話者向けのセッション画面１８１が示されており、パート（ｂ）には、受信者向けのセッション画面１８１が示されており、パート（ｃ）には、非受信者向けのセッション画面１８１が示されている。
【０１０７】
話者向けのセッション画面１８１では、話者欄１８１ｃの、話者情報Ｓ１＿６の話者欄に記載されている話者自身の名前に対応する最上段の欄に、話者を意味する話者マークＭ１が記入され、受信者欄１８１ｂの、話者情報Ｓ１＿６の受信者欄に記載されている受信者の名前に対応する欄に、受信者を意味する受信者マークＭ２が記入される。
【０１０８】
受信者向けのセッション画面１８１では、受信者欄１８１ｂの、話者情報Ｓ１＿６の受信者欄に記載されている受信者の名前に対応する欄に受信者マークＭ２が記入され、話者欄１８１ｃの、話者情報Ｓ１＿６に示されている話者に対応する欄に話者マークＭ１が記入される。
【０１０９】
尚、この話者および受信者向けのセッション画面１８１では、受信者マークＭ２については、受信者が複数の場合には該当する複数個所の欄に記入される。この図７の例では、受信者が１名であるので、１名のユーザの欄のみに受信者マークＭ２が記入されることとなる。
【０１１０】
非受信者向けのセッション画面１８１では、現在いずれかの携帯電話機１００で話者権が取得されていることを話者および受信者を秘匿して示す秘匿マークＭ３が、全欄に記入される。
【０１１１】
以上に説明したように話者権の付与が行われると、話者の携帯電話機１００の音声入力部１７８では、上記のように話者情報受信部１７５から音声の受付が許可され、その状態でユーザから音声が入力されると、その音声を表わす音声データＳ１＿７を作成して音声データ送信部１７７に渡す。音声データ送信部１７７は、この音声データＳ１＿７をＰｏＣサーバ３００に向けて送信する。音声データ送信部１７７は、本発明にいう音声データ送信部の一例に相当する。
【０１１２】
ＰｏＣサーバ３００の音声データ受信部３０５は、この音声データＳ１＿７を受信して、音声データ転送部３０６に渡す。音声データ転送部３０６は、その渡された音声データＳ１＿７を、受信者把握部３０２から渡された受信者の携帯電話機１００の電話番号を使ってその受信者の携帯電話機１００に転送する。このとき、今回のセッションが通常の同報通信によるものである場合には、受信者把握部３０２からは、話者の携帯電話機１００を除く全携帯電話機１００の電話番号が受信者の携帯電話機１００の電話番号として渡されるので、音声データＳ１＿７は、それら全携帯電話機１００に転送される。一方、今回のセッションが限定的同報通信によるものである場合には、音声データＳ１＿７は、受信者把握部３０２から渡された限定された受信者の携帯電話機１００に転送されることとなる。音声データ受信部３０５は、本発明にいう音声データ受信部の一例に相当し、音声データ転送部３０６は、本発明にいう音声データ転送部の一例に相当する。
【０１１３】
そして、この転送された音声データが、受信者の携帯電話機１００の音声データ受信部１７９で受信される。その音声データは、音声再生部１８０に渡される。上述したように、受信者の携帯電話機１００では、話者情報受信部１７５から音声再生部１８０に対して音声の再生が許可されているので、この音声再生部１８０でその音声データが表わす音声が再生される。この携帯電話機１００の音声データ受信部１７９が、本発明にいう転送音声データ受信部の一例に相当し、音声再生部１８０が、本発明にいう音声再生部の一例に相当する。
【０１１４】
話者が発言を終えて話者スイッチ１００Ｄを放すと、その話者の携帯電話機１００の話者権要求部１７４が、ＰｏＣサーバ３００に向けて、話者権を返還する旨を示す話者権返還信号Ｓ１＿８を送信する。この話者権返還信号Ｓ１＿８は、ＰｏＣサーバ３００の話者権付与部３０３で受信される。すると、話者権付与部３０３はその話者権返還信号Ｓ１＿８が示す話者権の返還を容れて、その旨を話者情報送信部３０４に通知し、話者情報送信部３０４が、現在話者権が返還されている旨を通知する返還通知信号Ｓ１＿９を全携帯電話機１００に向けて送信する。各携帯電話機１００では、この返還通知信号Ｓ１＿９が話者情報受信部１７５によって受信されて話者表示部１７６に渡される。話者表示部１７６は、この返還通知信号Ｓ１＿９を受けて、セッション画面における話者欄や受信者欄を空欄にすることで、ユーザに現在話者権が返還されている旨を知らせる。その結果、通信システム１が、話者権取得前の状態に戻ることとなる。
【０１１５】
本実施形態の通信システム１では、ＰｏＣを利用した同報的なデータ通信における以上に説明した一連の処理によって、話者権を取得した携帯電話機１００に入力された音声が、通常の同報通信によるセッションが開催された場合には他の全携帯電話機１００に転送され、限定的同報通信によるセッションが開催された場合にはその携帯電話機１００についての転送先の携帯電話機１００で再生される。特に後者の場合、本実施形態では、ある携帯電話機１００が話者権を取得して話者の携帯電話機１００となると、予めシステム設計者等によって決められた話者と受信者との対応関係に基づいて転送先が自動的に決定される。さらに、本実施形態では、話者が、自分の携帯電話機１００に対する指示操作によって、通信方式を通常の同報通信と限定的同報通信との間で自在に切り替えることができる。つまり、本実施形態の通信システム１によれば、複数の携帯電話機１００の間での同報的なデータ通信において、一部の携帯電話機１００だけと簡単に通信することができる。また、このときには、非受信者に対しては、誰が話者や受信となっているのかが秘匿されるので、例えば内緒話等を、その内緒話の相手以外のユーザに誰が行っているのかを知られずに行うことができる。
【０１１６】
以上、本発明の第１実施形態である、携帯電話機１００を使った通信システム１について説明したが、この通信システム１は、タクシー会社における複数のタクシーと管理センターとの間で無線通話を行ういわゆるタクシー無線システムに対して応用することができる。尚、このタクシー無線システムは、上記の限定的同報通信によるセッションのみが開催されるものであり、その限定的同報通信によるセッションについて、第１実施形態の通信システム１における、限定的同報通信によるセッションについての技術が適用されている。以下、この応用例について説明する。
【０１１７】
図８は、本発明の第１実施形態の通信システム１の応用例を示す図である。
【０１１８】
この図８には、通信システム１を適用したタクシー無線システム１０が模式的に示されている。
【０１１９】
このタクシー無線システム１０は、管理センターに設置されたセンター通信機１１とサーバ１２と３台のタクシーそれぞれに設置された３つのタクシー通信機１３ａ，１３ｂ，１３ｃとからなる。ここで、センター通信機１１と３つのタクシー通信機１３ａ，１３ｂ，１３ｃとが、第１実施形態の通信システム１における携帯電話機１００に相当し、サーバ１２がＰｏＣサーバ３００に相当する。
【０１２０】
サーバ１２は、センター通信機１１と３つのタクシー通信機１３ａ，１３ｂ，１３ｃからなるタクシー無線システム１０を構築する。尚、ここでの例では、このタクシー無線システムは、いずれかの通信機からのセッション開始の要求を受けて構築されるのではなく、サーバ１２に電源が投入されると、その時点で電源が投入されているタクシー通信機との間に通信回線が自動的に開かれることで構築される。図８に示すタクシー無線システム１０は、サーバ１２への電源投入時に３つのタクシー通信機１３ａ，１３ｂ，１３ｃに電源が投入されており、その結果、自動的に構築されたものである。
【０１２１】
また、ここでの例では、タクシー会社において管理センターによって統括される全タクシーの運転手と管理センターの職員との間における、話者と受信者との対応関係が、システム設計者によって予め決められており、その対応関係を表す対応データがサーバ１２における不図示のメモリに記憶されている。そして、例えば、図８に示すタクシー無線システム１０が構築された場合には、その対応データが表す対応関係のうち、そのタクシー無線システム１０に属する３つのタクシー通信機１３ａ，１３ｂ，１３ｃについての部分に従って、各通信機からの音声データの転送が実行される。
【０１２２】
図９は、図８に示すサーバ１２で記憶されている対応データが表す対応関係のうち、タクシー無線システム１０に属する３つのタクシー通信機１３ａ，１３ｂ，１３ｃについての部分を示す図である。
【０１２３】
ここでの例では、セッションメンバーが通信機を使う場所の名称、即ち、各通信機の設置場所の名称である「センター」、「タクシーＡ」、「タクシーＢ」、および「タクシーＣ」それぞれが、各通信機の識別情報として使用されている。図９に示す対応関係１２ａは、各通信機の識別情報を用いた表形式で表わされている。この対応関係１２ａから分かるように、話者が管理センターの職員であるときの受信者は全運転手であり、話者が運転手であるときの受信者は管理センターの職員のみである。
【０１２４】
以下、図８のタクシー無線システム１０において、図９の対応関係に従って実行される音声データの転送処理について説明する。
【０１２５】
図８のパート（ａ）には、センター通信機１１が話者権を取得する場合の様子が示され、パート（ｂ）には、１台のタクシー（タクシーＡ）のタクシー通信機１３ａが話者権を取得する場合の様子が示されている。
【０１２６】
まず、センター通信機１１が話者権を取得するパート（ａ）の場合について説明する。
【０１２７】
サーバ１２に対して話者権要求信号を最先に送信した通信機がセンター通信機１１であった場合に、サーバ１２がセンター通信機１１に話者権を付与する。そして、サーバ１２は、センター通信機１１が話者権を取得している旨の通知を図９の対応関係１２ａに従って行う。この対応関係１２ａでは、管理センターの職員についての受信者が全運転手となっている。ここで、図８のタクシー無線システム１０に適用されている第１実施形態の通信システム１では、話者は受信者には通知され非受信者には秘匿される。その結果、管理センターの職員が話者であることが全運転手に通知される。その後、センター通信機１１からの音声データは３つのタクシー通信機１３ａ，１３ｂ，１３ｃ全てに転送される。
【０１２８】
次に、１台のタクシー（タクシーＡ）のタクシー通信機１３ａが話者権を取得するパート（ｂ）の場合について説明する。
【０１２９】
タクシーＡのタクシー通信機１３ａが最先に話者権要求信号を送信した場合に、サーバ１２はこのタクシー通信機１３ａに話者権を付与する。このとき、対応関係１２ａに従って、管理センターの職員にはタクシーＡの運転手が話者であることが通知されるが、他の運転手にはこのことが秘匿され、現在話者権がいずれかの通信機で取得中であることのみが通知される。そして、タクシーＡのタクシー通信機１３ａからの音声データがセンター通信機１１のみに転送される。
【０１３０】
以上説明したタクシー無線システム１０によれば、全運転手が把握しておくべき管理センターからの指示等は全運転手に告げられ、顧客情報を含んでいる恐れがあるため管理センタでのみ把握するのが好ましい各運転手からの通信内容はこの管理センターにのみ告げられることとなる。
【０１３１】
次に、本発明の第２実施形態について説明する。
【０１３２】
図１０は、本発明の第２実施形態である通信システムを示す模式図である。
【０１３３】
この図１０に示す通信システム２は、４台の携帯電話機４００＿１，４００＿２，４００＿３，４００＿４と１台の基地局５００とで構成されている。尚、この通信システム２の概略や、各携帯電話機４００＿１，４００＿２，４００＿３，４００＿４の構成については、上述した第１実施形態の通信システム１の概略や、各携帯電話機１００＿１，１００＿２，１００＿３，１００＿４の構成と同様である。そこで、以下では、重複説明を省略し、この第１実施形態の通信システム１との相違点に注目して説明する。
【０１３４】
図１０に示す通信システム２は、限定的同報通信について、話者と受信者との対応関係を表す対応データが、この通信システム２を構成する携帯電話機のうちのいずれかの携帯電話機で作成され、その携帯電話機からセッションの開始を要求するセッション要求信号が送信される際に、そのセッション要求信号とともにＰｏＣサーバ６００に向けて送信されるという点が、第１実施形態の通信システム１とは異なる。
【０１３５】
以下、この相違点に注目して、通信システム２の同報通信機能について説明する。尚、ここでは、互いに同じ構成を有している４台の携帯電話機４００＿１，４００＿２，４００＿３，４００＿４を、その構成を有する１つの携帯電話機４００を使って説明する。
【０１３６】
図１１は、図１０の携帯電話機４００を同報通信機能に注目して示す機能ブロック図であり、図１２は、図１０のＰｏＣサーバ６００を同報通信機能に注目して示す機能ブロック図である。
【０１３７】
図１１の携帯電話機４００は、限定的同報通信についての上記の対応データをユーザの操作を受けて作成しセッション要求信号とともにＰｏＣサーバ６００に送信する機能と、セッション開始状態で話者権の要求が容れられるとユーザからの音声を表わす音声データをＰｏＣサーバ６００に送信する機能と、ＰｏＣサーバ６００から送られてきた音声データが表わす音声を再生する機能とを有するものであり、本発明の端末装置の一例に相当する。この携帯電話機６００は、セッション開始要求部４０１、セッションメンバー入力部４０２、受信対応データ送信部４０３、受信対応関係入力部４０４、セッション開始受信部４０５、セッション開始通知部４０６、非受信対応データ受信部４０７、話者権要求部４０８、話者情報受信部４０９、非受信者判定部４１０、話者表示部４１１、音声データ送信部４１２、音声入力部４１３、音声データ受信部４１４、音声再生部４１５、非受信者記憶部４１６、および非受信音声データ記憶部４１７を備えている。
【０１３８】
また、図１２のＰｏＣサーバ６００は、最先に話者権を要求してきた携帯電話機４００に話者権を付与するとともに、限定的同報通信によるセッションの場合には、その携帯電話機４００からの音声データを、任意の携帯電話機４００から送られてきた上記の対応データが表す対応関係に従って受信者の携帯電話機４００に転送するものであり、本発明のサーバ装置の一実施形態に相当する。このＰｏＣサーバ６００は、セッション開始部６０１、非受信対応データ作成部６０２、受信対応データ受信部６０３、非受信対応データ送信部６０４、受信者把握部６０５、話者権付与部６０６、話者情報送信部６０７、音声データ受信部６０８、音声データ転送部６０９、セッションメンバー記憶部６１０、および受信者記憶部６１１を備えている。
【０１３９】
以下、セッション開始の要求から、音声の再生までの処理の流れに沿って、ＰｏＣサーバ６００および携帯電話機４００それぞれの各構成要素について説明する。
【０１４０】
本実施形態では、まず、セッション開始を望むユーザが、自分の携帯電話機４００において、セッションに参加させたいユーザ（セッションメンバー）のリストを、各ユーザの携帯電話機４００の電話番号を使って入力し、さらに、限定的同報通信における話者と受信者との対応関係を各ユーザの携帯電話機４００の電話番号を使って入力する。
【０１４１】
図１３は、セッションメンバーの入力画面と話者と受信者との対応関係の入力画面とを示す図である。
【０１４２】
図１３のパート（ａ）にはセッションメンバーの入力画面６１２が示され、パート（ｂ）には話者と受信者との対応関係の入力画面６１３が示されている。
【０１４３】
セッションメンバーの入力画面６１２は、ユーザが所定のメニュー画面からセッションメンバーの入力を指示すると図１１のセッションメンバー入力部４０２によって表示される。
【０１４４】
セッションメンバーの入力画面６１２では、セッションに参加させたいユーザの携帯電話機の電話番号が入力される。本実施形態では、この電話番号に各ユーザの名前を対応付けて登録しておくことが可能であり、そのような登録がある電話番号については、セッションメンバーの入力画面６１２において、電話番号に替えてユーザの名前を使って入力される。
【０１４５】
図１３のパート（ａ）には、セッションメンバーとして、図１０に示すユーザＡからユーザＤまでの４人のユーザを指定するために、セッションメンバーの入力画面６１２に各ユーザの名前が入力された例が示されている。また、このセッションメンバーの入力画面６１２には、次画面への移行を指示する指示アイコン６１２ａが備えられている。セッションメンバーの入力後、この指示アイコン６１２ａがクリックされると、図１３のパート（ｂ）に示す話者と受信者との対応関係の入力画面６１３が、図１１の受信者対応関係入力部４０４によって表示される。
【０１４６】
話者と受信者との対応関係の入力画面６１３には、話者欄と受信者欄それぞれに、上記のセッションメンバーに対応する名前か電話番号が表示される。図１３のパート（ｂ）の例では、セッションメンバーが名前で表示されている。この入力画面６１３において、あるユーザを話者としたときの受信者の指定は、話者欄でのそのユーザの欄から受信者欄に沿って並ぶ複数のチェックボックスの中から、受信者に指定したいユーザに対応するチェックボックスをクリックすることで行われる。受信者に指定されたユーザに対応するチェックボックスにはチェックマークが表示される。話者と受信者との対応関係の入力画面６１３には、入力内容を承認する承認アイコン６１３ａが備えられており、この承認アイコン６１３ａがクリックされるとその対応関係の入力が終了する。
【０１４７】
このように入力されたセッションメンバーのリストはセッションメンバー入力部４０２で受け取られてセッション開始要求部４０１に渡される。また、話者と受信者との対応関係は受信対応関係入力部４０４で受け取られ、この受信対応関係入力部４０４において、その対応関係を表す受信対応データＳ２＿２が作成されて受信対応データ送信部４０３に渡される。この受信対応関係入力部４０４は、本発明にいう対応データ作成部の一例に相当する。
【０１４８】
次に、ユーザが、セッション開始を要求する操作を行うと、セッション開始要求部４０１がその操作を受け付けて、上記のセッションメンバーのリストが添付されたセッション要求信号Ｓ２＿１を生成してＰｏＣサーバ６００に向けて送信する。このセッション開始要求部４０１は、本発明にいう開始要求部の一例に相当する。
【０１４９】
さらに、セッション開始要求部４０１は、セッション要求信号Ｓ２＿１の送信タイミングを知らせるタイミング信号を、受信対応データ送信部４０３に送る。このとき、受信対応データ送信部４０３は、セッション開始要求部４０１からのタイミング信号の受信に同期して上記の受信対応データＳ２＿２をＰｏＣサーバ６００に向けて送信する。この受信対応データ送信部４０３は、本発明にいう対応データ送信部の一例に相当する。
【０１５０】
セッション要求信号Ｓ２＿１は、ＰｏＣサーバ６００のセッション開始部６０１で受信される。セッション開始部６０１は、セッション要求信号Ｓ２＿１の受信を非受信対応データ作成部６０２に通知する。さらに、セッション開始部６０１は、このセッション要求信号に添付されていたセッションメンバーのリストをセッションメンバー記憶部６１０に渡す。このセッション開始部６０１は、本発明にいう転送開始部の一例に相当する。
【０１５１】
また、受信対応データＳ２＿２は、ＰｏＣサーバ６００の受信対応データ受信部６０３で受信される。受信対応データ受信部６０３は、その受信対応データＳ２＿２を非受信対応データ作成部６０２と受信者記憶部６１１に渡す。この受信対応データ受信部６０３は、本発明にいう対応データ受信部の一例に相当する。
【０１５２】
ここで、このセッションメンバー記憶部６１０および受信者記憶部６１１は、セッション終了と同時に記憶内容をリセットするものであり、このため、セッションメンバー記憶部６１０には、セッション開始中は、常にそのセッションについてのセッションメンバーのリストが記憶され、受信者記憶部６１１には、常にそのセッションについての受信対応データＳ２＿２が記憶されることとなる。
【０１５３】
さらに、セッション開始部６０１は、このセッションメンバーのリストに対応する複数の携帯電話機４００それぞれとの間に通信回線を開くことでこれら複数の携帯電話機４００が属する通信システムを構築する。図１０の通信システム２は、４台の携帯電話機４００のうちいずれかの携帯電話機４００において、これら４台の携帯電話機４００に対応するセッションメンバーのリストが入力され、その結果として構築されたものである。セッション開始部６０１は、各携帯電話機４００に向けて、これらの携帯電話機４００のユーザによるセッションが開始された旨を表すセッション開始信号Ｓ２＿３を送信する。ここで、本実施形態でも第１実施形態と同様に、各電話番号には、その電話番号の携帯電話機４００のユーザの名前が対応付けられており、セッション開始信号Ｓ２＿３では、セッションメンバーの名前が示される。さらに、話中等により回線が繋がらなかった携帯電話機４００のユーザについてはその旨も示される。また、このセッション開始部３０１は、各携帯電話機４００に向けた通知のタイミングを知らせるタイミング信号を、非受信対応データ送信部６０４に送る。
【０１５４】
尚、本実施形態でも、上述の第１実施形態と同様に、セッションの開始方法として、ＰｏＣサーバ側から各携帯電話機に対して直接に回線が開かれる方法が例示されているが、本発明はこれに限るものではなく、このセッションの開始方法は、例えば、まずＰｏＣサーバがＩＰ網を介さずに各携帯電話機に接続を指示し、次に各携帯電話機側からＰｏＣサーバに対して回線が開かれるという方法等であっても良い。
【０１５５】
非受信対応データ作成部６０２は、セッション開始部６０１からセッション要求信号の受信を通知されると、受信者記憶部６１１内に記憶されている受信対応データＳ２＿２と、セッションメンバー記憶部６１０に記憶されているセッションメンバーのリストとに基づいて、話者と非受信者との対応関係を電話番号を使って表わす非受信対応データＳ２＿４を作成して非受信対応データ送信部６０４に渡す。
【０１５６】
非受信対応データ送信部６０４は、非受信対応データ作成部６０２から渡された非受信対応データＳ２＿４を各携帯電話機４００に向けて送信する。ここで、この非受信対応データ送信部６０４は、非受信対応データＳ２＿４の送信を、セッション開始部６０１から上記のタイミング信号を受信したときに行う。この非受信対応データ送信部６０４は、本発明にいう確認情報送信部の一例に相当する。また、この非受信対応データ送信部６０４は、非受信対応データＳ２＿４によって話者と受信者との対応関係を間接的に各携帯電話機４００に配信するものであるので、本発明にいう対応データ配信部の一例にも相当する。
【０１５７】
各携帯電話機４００ではセッション開始信号Ｓ２＿３と非受信対応データＳ２＿４とが以下のように受信される。
【０１５８】
まず、セッション開始信号Ｓ２＿３はセッション開始受信部４０５で受信され、さらにセッション開始通知部４０６に渡される。そして、セッション開始通知部４０６は、そのセッション開始信号Ｓ２＿３に基づいて、第１実施形態と同様に、図２に示す液晶パネル１０１に通常の同報通信に対応したセッション画面を表示する。
【０１５９】
また、非受信対応データＳ２＿４は非受信対応データ受信部４０７で受信され、非受信者記憶部４１６に渡されて記憶される。この非受信者記憶部４１６も、セッション終了と同時に記憶内容をリセットするものであり、このため、非受信者記憶部４１６には、セッション開始中は、そのセッションについての非受信対応データＳ２＿４が記憶されることとなる。この非受信者記憶部４１６は、本発明にいう対応記憶部の一例に相当する。
【０１６０】
このようにセッションが開始された後、発言を望むユーザが自分の携帯電話機４００の話者スイッチを押すと、その携帯電話機４００の話者権要求部４０８が、ＰｏＣサーバ３００に向けて、話者権を要求する話者権要求信号Ｓ２＿５を送信する。ここで、この話者権要求信号Ｓ２＿５には、その話者権要求信号Ｓ２＿５を送信する携帯電話機４００の電話番号が添付されている。
【０１６１】
各携帯電話機４００からの話者権要求信号Ｓ２＿５は、ＰｏＣサーバ６００の話者権付与部６０６で受信される。話者権付与部６０６は、各携帯電話機４００からの話者権要求信号Ｓ２＿５のうち最先の話者権要求信号Ｓ２＿５に添付されている電話番号の携帯電話機４００への話者権の付与を決定する。話者権付与部６０６は、このように話者権の付与を決定すると、その携帯電話機４００のユーザの名前を話者情報送信部６０７に通知し、話者情報送信部６０７が、その携帯電話機４００に話者権が付与された旨を通知する話者通知信号Ｓ２＿６を送信する。この話者権が付与される話者の携帯電話機４００が、本発明にいう発信端末装置の一例に相当する。
【０１６２】
話者の携帯電話機４００では、話者情報送信部６０７からの話者通知信号Ｓ２＿６が、話者情報受信部４０９で受信される。話者情報受信部４０９は話者通知信号Ｓ２＿６の受信を受けて、自機が話者権を取得した旨を話者表示部４１１に通知する。話者表示部４１１は、上記の通常の同報通信に対応したセッション画面を介してユーザに話者権の取得を知らせるとともに、通信方式を切り替えるか否かを問い合わせるメッセージを表示する。ここで、セッション開始直後の通信方式は通常の同報通信であるので、この問合せは、通常の同報通信から限定的同報通信に切り替えるか否かの問合せとなる。
【０１６３】
本実施形態でも、上記の第１実施形態と同様に、このメッセージとともに、通信方式の切り替えを選択する切替選択ボタンと通信方式の維持を選択する維持選択ボタンとが表示され、ユーザが、維持選択ボタンをクリック操作するという、通信方式を切り替えない旨を指示する指示操作を行うと、話者権要求部４０８がその旨を示す切替信号Ｓ２＿７をＰｏＣサーバ６００に向けて送信する。一方、ユーザが、切替選択ボタンをクリック操作するという、通信方式を切り替える旨を指示する指示操作を行うと、話者権要求部４０８がその旨を示す切替信号Ｓ２＿７をＰｏＣサーバ６００に向けて送信する。
【０１６４】
話者の携帯電話機４００から送信されてきた切替信号Ｓ２＿７は、ＰｏＣサーバ３００の話者権付与部６０６で受信される。そして、話者権付与部６０６は、この切替信号Ｓ２＿７から今回の通信方式が通常の同報通信と限定的同報通信とのうちのいずれであるかを判断し、その判断結果を話者情報送信部６０７と受信者把握部６０５とに知らせる。また、話者権付与部６０６は、これら話者情報送信部６０７と受信者把握部６０５とに、話者の携帯電話機４００の電話番号も知らせる。
【０１６５】
受信者把握部６０５は、話者権付与部６０６から、今回の通信方式が限定的同報通信であることが知らされているときには、その話者権付与部６０６から話者の携帯電話機４００の電話番号を知らされると、受信者記憶部６１１内をその渡された電話番号を使って検索し、その携帯電話機４００に対応付けられている受信者の携帯電話機４００を把握する。受信者把握部６０５は、その把握した受信者の携帯電話機４００の電話番号を話者情報送信部６０７と音声データ転送部６０９に渡す。一方、今回の通信方式が通常の同報通信であることが知らされているときには、この受信者把握部６０５は、話者の携帯電話機４００を除く他の全ての携帯電話機４００の電話番号を、受信者の携帯電話機４００の電話番号として話者情報送信部６０７と音声データ転送部６０９に渡す。この受信者把握部６０５は、本発明にいう転送限定部の一例に相当する。
【０１６６】
話者情報送信部６０７は、今回の通信方式と、話者および受信者それぞれの携帯電話機４００の電話番号を通知されると、全携帯電話機４００向けの話者情報Ｓ２＿８を作成する。この話者情報Ｓ２＿８は、通信方式が記載される方式欄と、話者となったユーザの名前が記載される話者欄と、受信者となったユーザの名前が記載される受信者欄とを有している。
【０１６７】
話者情報送信部６０７は、今回の通信方式が通常の同報通信である場合には、方式欄に通信方式として通常の同報通信が記載され、話者欄に話者となったユーザの名前が記載され、受信者欄が空欄となった話者情報Ｓ２＿８を作成し、全携帯電話機４００全てに向けてこの話者情報Ｓ２＿８を送信する。
【０１６８】
一方、今回の通信方式が限定的同報通信である場合には、話者情報送信部３０４は、方式欄に通信方式として限定的同報通信が記載され、話者欄に話者となったユーザの名前が記載され、受信者欄に受信者となったユーザの名前が記載された話者情報Ｓ２＿８を作成し、全携帯電話機４００全てに向けてこの話者情報Ｓ２＿８を送信する。この話者情報送信部６０７は、本発明にいう発信端末送信部とビジー情報送信部とを兼ねた一例に相当する。
【０１６９】
携帯電話機４００の話者情報受信部４０９は、上記の話者情報Ｓ２＿８を受信し、まず、方式欄に記載されている通信方式が通常の同報通信であるのか限定的同報通信であるのかを確認し、確認した通信方式を話者表示部４１１に通知する。話者表示部４１１は、通知された通信方式が限定的同報通信であった場合には、セッション開始時に図２に示す液晶パネル１０１に表示されたセッション画面を、図６に示す限定的同報通信に対応したセッション画面１８１に変更する。尚、通信方式が通常の同報通信であった場合には、セッション開始時のセッション画面が維持される。
【０１７０】
次に、話者情報受信部４０９は、受信した話者情報Ｓ２＿８を話者表示部４１１に渡すとともに、通信方式が限定的同報通信であった場合には、その話者情報Ｓ２＿８を非受信者判定部４１０にも渡す。さらに、話者情報受信部４０９は、上述した話者情報送信部６０７からの話者通知信号Ｓ２＿６が受信されていた場合には、この時点で音声入力部４１３に対して音声の受付を許可する。
【０１７１】
非受信者判定部４１０は、まず、話者情報Ｓ２＿８に示されている話者の携帯電話機４００の電話番号で非受信者記憶部４１６内を検索し、非受信対応データＳ２＿４においてその電話番号に対応する非受信者の携帯電話機４００の電話番号を取得する。そして、その取得した電話番号が自機の電話番号と一致するか否か、非受信者の携帯電話機４００の電話番号が複数取得された場合にはそれら複数の電話番号の中に自機の電話番号と一致するものがあるか否かを調べる。そして、取得した電話番号が自機の電話番号と一致した場合、あるいは複数取得された電話番号の中に自機の電話番号と一致するものがあった場合に、自機が非受信者の携帯電話機４００であると判定し、それ以外の場合には自機が受信者の携帯電話機４００であると判定する。非受信者判定部４１０は、その判定結果を話者表示部４１１と音声再生部４１５とに通知する。この非受信者判定部４１０は、本発明にいう判定部と確認部とを兼ねた一例に相当する。
【０１７２】
話者表示部４１１は、話者権の取得状況を、上記のセッション画面を使ってユーザに通知する。この通知内容は、上記の図７を参照して説明した第１実施形態における通知内容と同様であるので重複説明を省略する。この話者表示部４１１は、本発明にいう非転送通知部とビジー通知部とを兼ねた一例に相当する。
【０１７３】
話者権を取得した携帯電話機４００の音声入力部４１３は、音声入力が許可されたときに、音声が入力されると、その音声を表わす音声データＳ２＿９を作成して音声データ送信部４１２に渡す。音声データ送信部４１２は、この音声データＳ２＿９をＰｏＣサーバ６００に向けて送信する。
【０１７４】
ＰｏＣサーバ６００の音声データ受信部６０８は、話者の携帯電話機４００から送信されてきた音声データＳ２＿９を受信して、音声データ転送部６０９に渡す。音声データ転送部６０９は、その渡された音声データＳ２＿９を、受信者把握部６０５から渡された電話番号に対応する受信者の携帯電話機４００に転送する。
【０１７５】
そして、この転送された音声データＳ２＿９が、受信者の携帯電話機４００の音声データ受信部４１４で受信されて音声再生部４１５に渡される。そして、音声再生部４１５が、その音声データＳ２＿９が表わす音声を再生する。一方、非受信者判定部４１０から、自機が非受信者の携帯電話機４００である旨が通知されているときには、非受信音声データ記憶部４１７から、非受信時の代替音声を表わす非受信音声データを読出し、この非受信音声データが表わす代替音声を再生する。この代替音声の再生は、自機が話者権を取得するか受信者の携帯電話機４００である旨が通知されるまで続けられる。この音声再生部４１５は、本発明にいう音声再生部と代替音声再生部とを兼ねた一例に相当する。
【０１７６】
尚、本実施形態では、代替音声の再生が、自機が話者権を取得するか受信者の携帯電話機である旨が通知されたときに停止されるという形態が例示されているが、本発明はこれに限るものではなく、この代替音声の再生は、例えば話者の携帯電話機からＰｏＣサーバに対して話者権が返還されたときに停止されるという形態であっても良い。
【０１７７】
話者が発言を終えて話者スイッチを放すと、その話者の携帯電話機４００の話者権要求部４０８が、ＰｏＣサーバ６００に向けて、話者権を返還する旨を示す話者権返還信号Ｓ２＿１０を送信する。この話者権返還信号Ｓ２＿１０は、ＰｏＣサーバ６００の話者権付与部６０６で受信される。すると、話者権付与部６０６はその話者権返還信号Ｓ２＿１０が示す話者権の返還を容れて、その旨を話者情報送信部６０７に通知し、話者情報送信部６０７が、現在話者権が返還されている旨を通知する返還通知信号Ｓ２＿１１を全携帯電話機４００に向けて送信する。各携帯電話機４００では、この返還通知信号Ｓ２＿１１が話者情報受信部４０９によって受信されて話者表示部４１１に渡される。話者表示部４１１は、この返還通知信号Ｓ２＿１１を受けて、セッション画面における話者欄や受信者欄を空欄にすることで、ユーザに現在話者権が返還されている旨を知らせる。その結果、通信システム２が、話者権取得前の状態に戻ることとなる。
【０１７８】
この第２実施形態の通信システム２でも、上記の第１実施形態と同様に同報的なセッションにおいて、一部の携帯電話機４００だけと簡単に通話することができ、また、話者が、適宜に指示することにより通信方式を通常の同報通信から限定的同報通信へ切り替えたり、あるいは逆に限定的同報通信から通常の同報通信へ切り替えたりすることができる。さらに、この通信システム２では、話者と受信者との対応関係がユーザによって決められるので、限定的同報通信における通信相手の設定を柔軟に行うことができる。また、この通信システム２でも、第１実施形態と同様に非受信者には話者が秘匿されることとなる。
【０１７９】
次に、本発明の第３実施形態について説明する。
【０１８０】
図１４は、本発明の第３実施形態である通信システムを示す模式図である。
【０１８１】
この図１０に示す通信システム３は、４台の携帯電話機７００＿１，７００＿２，７００＿３，７００＿４と１台の基地局８００とで構成されている。尚、この通信システム３の概略や、各携帯電話機７００＿１，７００＿２，７００＿３，７００＿４の構成については、上述した第１実施形態の通信システム１の概略や、各携帯電話機１００＿１，１００＿２，１００＿３，１００＿４の構成と同様である。そこで、以下では、重複説明を省略し、この第１実施形態の通信システム１との相違点に注目して説明する。
【０１８２】
本実施形態では、限定的同報通信において、任意の携帯電話機が話者の携帯電話機となるときの、受信者と、話者であることを秘匿すべき秘匿者とが、その話者の携帯電話機において、話者権要求時に入力される。
【０１８３】
例えば、ユーザＡの携帯電話機７００＿１が話者の携帯電話機となる場合に、話者権要求時に、ユーザＢが受信者として入力され、ユーザＤが秘匿者として入力されたとする。すると、ユーザＡの携帯電話機７００＿１からの音声データは、ＰｏＣサーバ９００によってユーザＢの携帯電話機７００＿２にのみ転送され、他の携帯電話機７００＿３，７００＿４は非転送状態となる。また、ユーザＡが話者であることは、ユーザＢとユーザＣには通知されるが、ユーザＤには非通知となる。
【０１８４】
以下、この通信システム３の同報通信機能について説明する。尚、ここでは、互いに同じ構成を有している４台の携帯電話機７００＿１，７００＿２，７００＿３，７００＿４を、その構成を有する１つの携帯電話機７００を使って説明する。
【０１８５】
図１５は、図１４の携帯電話機７００を同報通信機能に注目して示す機能ブロック図であり、図１６は、図１４のＰｏＣサーバ９００を同報通信機能に注目して示す機能ブロック図である。
【０１８６】
図１５の携帯電話機７００は、限定的同報通信において、自機が話者の携帯電話機となったときの受信者と秘匿者とを、話者権要求信号とともにＰｏＣサーバ９００に送信する機能と、セッション開始状態で話者権の要求が容れられるとユーザからの音声を表わす音声データをＰｏＣサーバ９００に送信する機能と、ＰｏＣサーバ９００から送られてきた音声データが表わす音声を再生する機能とを有するものであり、本発明の端末装置の一例に相当する。この携帯電話機９００は、セッション開始要求部７０１、セッションメンバー入力部７０２、セッション開始受信部７０３、セッション開始通知部７０４、受信者情報送信部７０５、受信者入力部７０６、秘匿者情報送信部７０７、秘匿者入力部７０８、話者権要求部７０９、話者情報受信部７１０、話者表示部７１１、非受信情報受信部７１２、音声データ送信部７１３、音声入力部７１４、音声データ受信部７１５、音声再生部７１６、および非受信音声データ記憶部７１７を備えている。
【０１８７】
また、図１２のＰｏＣサーバ９００は、最先に話者権を要求してきた携帯電話機７００に話者権を付与するとともに、限定的同報通信によるセッションの場合には、その携帯電話機７００からの音声データを、その携帯電話機７００から送られてきた受信者の携帯電話機７００に転送するものであり、本発明のサーバ装置の一実施形態に相当する。このＰｏＣサーバ９００は、セッション開始部９０１、受信者情報受信部９０２、秘匿者情報受信部９０３、話者権付与部９０４、話者情報送信部９０５、非受信者把握部９０６、非受信情報送信部９０７、音声データ受信部９０８、音声データ転送部９０９、およびセッションメンバー記憶部９１０を備えている。
【０１８８】
以下、セッション開始の要求から、音声の再生までの処理の流れに沿って、ＰｏＣサーバ９００および携帯電話機７００それぞれの各構成要素について説明する。
【０１８９】
本実施形態では、まず、セッション開始を望むユーザが、自分の携帯電話機７００において、セッションに参加させたいユーザ（セッションメンバー）のリストを、各ユーザの携帯電話機４００の電話番号を使って入力し、さらに、限定的同報通信によるセッションを望む場合にはその旨を入力する。
【０１９０】
図１７は、セッションメンバーの入力画面の一例を示す図である。
【０１９１】
このセッションメンバーの入力画面７１８では、セッションメンバーの携帯電話機の電話番号が入力される。本実施形態では、この電話番号に持ち主の名前を対応付けて登録しておくことが可能であり、そのような登録がある電話番号については、セッションメンバーの入力画面７１８において、電話番号に替えてユーザの名前を使って入力される。
【０１９２】
図１７には、セッションメンバーとして、図１４に示すユーザＡからユーザＤまでの４人のユーザそれぞれの携帯電話機の電話番号を入力するために、セッションメンバーの入力画面７１８に各ユーザの名前が入力された例が示されている。さらに、このセッションメンバーの入力画面７１８には、セッションメンバーの入力内容を承認する承認アイコン７１８ａが備えられており、この承認アイコン７１８ａがクリックされるとこれらの処理が終了する。
【０１９３】
このように入力されたセッションメンバーのリストはセッションメンバー入力部７０２で受け取られてセッション開始要求部７０１に渡される。
【０１９４】
次に、ユーザが、セッション開始を要求する操作を行うと、セッション開始要求部７０１がその操作を受け付けて、上記のセッションメンバーのリストが添付されたセッション要求信号Ｓ３＿１を生成してＰｏＣサーバ９００に向けて送信する。このセッション開始要求部７０１は、本発明にいう開始要求部の一例に相当する。
【０１９５】
セッション要求信号Ｓ３＿１は、ＰｏＣサーバ９００のセッション開始部９０１で受信される。セッション開始部９０１は、まず、このセッション要求信号Ｓ３＿１に添付されていたセッションメンバーのリストをセッションメンバー記憶部９１０に渡す。そして、セッション開始部９０１は、このセッションメンバーのリストに対応する複数の携帯電話機７００それぞれとの間に通信回線を開くことでこれら複数の携帯電話機７００が属する通信システムを構築する。このセッション開始部９０１は、本発明にいう転送開始部の一例に相当する。
【０１９６】
尚、本実施形態でも、上述の第１および第２実施形態と同様に、セッションの開始方法として、ＰｏＣサーバ側から各携帯電話機に対して直接に回線が開かれる方法が例示されているが、本発明はこれに限るものではなく、このセッションの開始方法は、例えば、まずＰｏＣサーバがＩＰ網を介さずに各携帯電話機に接続を指示し、次に帯電話機側からＰｏＣサーバに対して回線が開かれるという方法等であっても良い。
【０１９７】
図１４の通信システム３は、４台の携帯電話機７００のうちいずれかの携帯電話機７００において、これら４台の携帯電話機７００に対応するセッションメンバーのリストが入力され、その結果として構築されたものである。セッション開始部９０１は、各携帯電話機７００に向けて、これらの携帯電話機７００のユーザによるセッションが開始された旨を表すセッション開始信号Ｓ３＿２を送信する。ここで、本実施形態でも第１実施形態と同様に、セッション開始信号Ｓ３＿２ではセッションメンバーの名前が示される。さらに、話中等により回線が繋がらなかった携帯電話機７００のユーザについてはその旨も示される。
【０１９８】
ＰｏＣサーバ９００からのセッション開始信号Ｓ３＿２は、各携帯電話機７００のセッション開始受信部７０３で受信され、セッション開始通知部７０４に渡される。セッション開始通知部７０４は、そのセッション開始信号Ｓ３＿２に基づいて、図２に示す液晶パネル１０１に通常の同報通信に対応したセッション画面を表示する。
【０１９９】
本実施形態では、このようにセッションが開始された後、通常の同報通信における発言を望むユーザは、そのまま話者スイッチ１００Ｄを押す。一方で、限定的同報通信における発言を望むユーザは、話者スイッチ１００Ｄを押す前に、限定的同報通信において自分が話者となったときの受信者と秘匿者とを次のような入力画面を介して入力する。
【０２００】
図１８は、受信者および秘匿者の入力画面の一例を示す図である。
【０２０１】
この図１８に示す受信者および秘匿者の入力画面７１９は、ユーザが所定のメニューを介して受信者および秘匿者の入力を指示すると、受信者入力部７０６によって表示される。
【０２０２】
この受信者および秘匿者の入力画面７１９は、受信者入力欄７１９ａと秘匿者入力欄７１９ｂとを備えている。この図１８の例は、ユーザＡの携帯電話機７００に表示される画面であり、２つの入力欄における自機に対応する箇所がグレーで塗りつぶされて入力不可となっている。
【０２０３】
受信者入力欄７１９ａでは、ユーザが受信者として所望するユーザに対応する欄をクリックするとチェックマークが記され、そのユーザが受信者に指定される。同様に、秘匿者入力欄７１９ｂでは、ユーザが秘匿者として所望するユーザに対応する欄をクリックするとチェックマークが記され、そのユーザが秘匿者に指定される。図１８の例では、ユーザＡが話者となったときの受信者としてユーザＢが指定され、秘匿者としてユーザＤが指定されている。
【０２０４】
さらに、この受信者および秘匿者の入力画面７１９には、入力内容を承認する承認アイコン７１９ｃが設けられており、この承認アイコン７１９ｃがクリックされると、処理が終了する。
【０２０５】
このような入力画面７１９を介して入力された受信者は、受信者入力部７０４で受け取られ、秘匿者は秘匿者入力部７０８で受け取られる。そして、受信者入力部７０４は、受け取った受信者の携帯電話機７００の電話番号、受信者が複数の場合には電話番号のリストを示す受信者情報Ｓ３＿３を作成して受信者情報送信部７０５に渡す。また、秘匿者入力部７０８は、受け取った秘匿者の携帯電話機７００の電話番号あるいは電話番号のリストを示す秘匿者情報Ｓ３＿４を作成して秘匿者情報送信部７０７に渡す。ここで、受信者入力部７０４は本発明にいう転送端末入力部の一例に相当し、秘匿者入力部７０８は本発明にいう秘匿端末入力部の一例に相当する。
【０２０６】
発言を望むユーザが、自分の携帯電話機７００の話者スイッチ１００Ｄを押すと、その携帯電話機７００の話者権要求部７０９が、ＰｏＣサーバ９００に向けて、話者権を要求する話者権要求信号Ｓ３＿５を送信する。ここで、この話者権要求信号Ｓ３＿５には、その話者権要求信号Ｓ３＿５を送信する携帯電話機７００の電話番号が添付されている。
【０２０７】
また、このユーザが、限定的同報通信を望み、上記のように受信者と秘匿者とを入力していた場合には、話者権要求部７０９は、話者権要求信号Ｓ３＿５の送信タイミングを受信者情報送信部７０５および秘匿者情報送信部７０７に通知し、両者は、それぞれこのタイミングに同期して受信者情報Ｓ３＿３および秘匿者情報Ｓ３＿４をＰｏＣサーバ９００に向けて送信する。ここで、受信者情報送信部７０５は本発明にいう転送端末通知部の一例に相当し、秘匿者情報送信部７０７は本発明にいう秘匿端末通知部の一例に相当する。
【０２０８】
上記の受信者情報Ｓ３＿３、秘匿者情報Ｓ３＿４、および話者権要求信号Ｓ３＿５は、それぞれＰｏＣサーバ９００の受信者情報受信部９０２、秘匿者情報受信部９０３、および話者権付与部９０４で受信される。
【０２０９】
受信者情報受信部９０２は、最先に送られてきた受信者情報Ｓ３＿３が示す受信者を、話者情報送信部９０５、非受信者把握部９０６、および音声データ転送部９０９に通知する。ここで、この受信者情報受信部９０２は、本発明にいう転送先設定部と転送限定部と通知設定部とを兼ねた一例に相当する。
【０２１０】
秘匿者情報受信部９０３は、最先に送られてきた秘匿者情報Ｓ３＿４が示す秘匿者を、非受信情報送信部９０７に通知する。
【０２１１】
話者権付与部９０４は、最先に送られてきた話者権要求信号Ｓ３＿５が示すユーザを話者とし、そのユーザの携帯電話機７００への話者権の付与を決定し、その話者を話者情報送信部９０５と非受信者把握部９０６に通知する。
【０２１２】
話者情報送信部９０５は、話者および受信者を通知された場合には今回の通信方式が限定的同報通信であると認識し、話者のみを通知された場合には今回の通信方式が通常の同報通信であると認識する。そして、今回の通信方式が限定的同報通信である場合には、方式欄に今回の通信方式として限定的同報通信が記載され、話者欄に通知された話者の名前が記載され、受信者欄に通知された受信者の名前が記載された話者情報Ｓ３＿６を作成する。一方、今回の通信方式が通常の同報通信である場合には、方式欄に今回の通信方式として通常の同報通信が記載され、話者欄に通知された話者の名前が記載され、受信者欄が空欄となった話者情報Ｓ３＿６を作成する。作成された話者情報Ｓ３＿６は、各携帯電話機７００に向けて送信される。この話者情報送信部９０５は、本発明にいう発信端末送信部とビジー情報送信部とを兼ねた一例に相当する。
【０２１３】
非受信者把握部９０６は、話者および受信者を通知されると、セッションメンバー記憶部９１０内に記憶されているセッションメンバーのうち、話者および受信者を除くユーザを、携帯電話機７００に音声データが転送されない非受信者であると認識する。そして、認識した非受信者を、非受信情報送信部９０７に通知する。また、今回の通信方式が通常の同報通信であって話者しか通知されなかった場合には、非受信者把握部９０６は待機状態となる。
【０２１４】
非受信情報送信部９０７は、非受信者の携帯電話機７００に音声データが転送されないことを明示した非受信情報Ｓ３＿７を作成し、その非受信情報Ｓ３＿７を、非受信者の携帯電話機７００に向けて送信する。また、今回の通信方式が通常の同報通信であって非受信者の通知が無い場合には、非受信情報送信部９０７は待機状態となる。この非受信情報送信部９０７は、本発明にいう明示情報送信部の一例に相当する。
【０２１５】
話者情報Ｓ３＿６は、各携帯電話機７００の話者情報受信部７１０で受信される。話者情報受信部７１０は、自機の電話番号が話者情報Ｓ３＿６に含まれているか否かを確認し、自機の電話番号が話者情報Ｓ３＿６に含まれている場合に、自機を話者の携帯電話機７００であると判断し、話者表示部７１１にその旨を通知するとともに、音声入力部７１４に対して音声の受付を許可する。
【０２１６】
非受信情報Ｓ３＿７は、非受信者の各携帯電話機７００の非受信情報受信部７１２で受信される。非受信情報受信部７１２は、この非受信情報Ｓ３＿７の受信を受けて、自機が非受信者の携帯電話機７００であることを認識し、話者表示部７１１と音声再生部７１６とにその旨を通知する。
【０２１７】
話者表示部７１１は、話者情報受信部７１０や非受信情報受信部７１２からの通知内容に応じて、話者権の取得状況を、上記のセッション画面を使ってユーザに通知する。ここで、今回のセッションが通常の同報通信によるものである場合には、そのときに表示されるセッション画面は、第１実施形態についての説明で述べたように、受信者を示す欄が省略されるので、ユーザには話者が誰なのかのみが通知されることとなる。一方、今回のセッションが限定的同報通信によるものである場合には、その携帯電話機７００のユーザが、話者、受信者、非受信者、および秘匿者のうちのいずれであるのかによって通知内容が異なる。話者表示部７１１は、話者と受信者と非受信者に対しては話者と受信者とが誰なのかを示し、秘匿者に対しては秘匿する。この話者表示部７１１は、本発明にいうビジー通知部と非転送通知部とを兼ねた一例に相当する。
【０２１８】
図１９は、限定的同報通信についてのセッション画面で話者権の取得状況が示された様子を示す図である。
【０２１９】
図１９のパート（ａ）には、話者向けのセッション画面７２０が示されており、パート（ｂ）には、受信者向けのセッション画面７２０が示されており、パート（ｃ）には、非受信者向けのセッション画面７２０が示されており、パート（ｄ）には、秘匿者向けのセッション画面７２０が示されている。
【０２２０】
話者向けのセッション画面７２０では、話者欄７２０ａの、話者自身の名前に対応する最上段の欄に、話者を意味する話者マークＭ１が記入され、受信者欄７２０ｂの、現在の受信者に対応する欄に、受信者を意味する受信者マークＭ２が記入される。また、この話者向けのセッション画面７２０では、受信者マークＭ２については、受信者が複数の場合には該当する複数個所の欄に記入される。
【０２２１】
受信者向けのセッション画面７２０では、受信者欄７２０ｂの、受信者自身の名前に対応する最上段の欄に受信者マークＭ２が記入され、話者欄７２０ａの、現在の話者に対応する欄に話者マークＭ１が記入される。
【０２２２】
非受信者向けのセッション画面７２０では、話者欄７２０ａの、現在の話者に対応する欄に話者マークＭ１が記入され、受信者欄７２０ｂの、現在の受信者に対応する欄に受信者マークＭ２が記入される。
【０２２３】
秘匿者向けのセッション画面７２０では、現在いずれかの携帯電話機１００で話者権が取得されていることを話者および受信者を秘匿して示す秘匿マークＭ３が、全欄に記入される。
【０２２４】
このように話者権の取得され、その旨が各ユーザに通知されると、話者権を取得した携帯電話機７００の音声入力部７１４は、そのときに入力された音声を表わす音声データＳ３＿８を作成して音声データ送信部７１３に渡す。音声データ送信部７１３は、この音声データＳ３＿８をＰｏＣサーバ９００に向けて送信する。
【０２２５】
ＰｏＣサーバ９００の音声データ受信部９０８は、話者の携帯電話機７００から送信されてきた音声データＳ３＿８を受信して、音声データ転送部９０９に渡す。音声データ転送部９０９は、その渡された音声データＳ３＿８を、受信者情報受信部９０２から通知された受信者の携帯電話機７００に転送する。
【０２２６】
そして、この転送された音声データＳ３＿８が、受信者の携帯電話機７００の音声データ受信部７１５で受信されて音声再生部７１６に渡される。そして、音声再生部７１６が、その音声データＳ３＿８が表わす音声を再生する。一方、非受信情報受信部７１２から、自機が非受信者あるいは秘匿者の携帯電話機７００である旨が通知されているときには、非受信音声データ記憶部７１７から、非受信時の代替音声を表わす非受信音声データを読出し、この非受信音声データが表わす代替音声を再生する。この代替音声の再生は、自機が話者権を取得するか受信者の携帯電話機７００である旨が通知されるまで続けられる。この音声再生部７１６は、本発明にいう音声再生部と代替音声再生部とを兼ねた一例に相当する。
【０２２７】
尚、本実施形態では、代替音声の再生が、自機が話者権を取得するか受信者の携帯電話機である旨が通知されたときに停止されるという形態が例示されているが、本発明はこれに限るものではなく、この代替音声の再生は、例えば話者の携帯電話機からＰｏＣサーバに対して話者権が返還されたときに停止されるという形態であっても良い。
【０２２８】
話者が発言を終えて話者スイッチを放すと、その話者の携帯電話機７００の話者権要求部７０９が、ＰｏＣサーバ９００に向けて、話者権を返還する旨を示す話者権返還信号Ｓ３＿９を送信する。この話者権返還信号Ｓ３＿９は、ＰｏＣサーバ９００の話者権付与部９０４で受信される。すると、話者権付与部９０４はその話者権返還信号Ｓ３＿９が示す話者権の返還を容れて、その旨を話者情報送信部９０５に通知し、話者情報送信部９０５が、現在話者権が返還されている旨を通知する返還通知信号Ｓ３＿１０を全携帯電話機７００に向けて送信する。各携帯電話機７００では、この返還通知信号Ｓ３＿１０が話者情報受信部７１０によって受信されて話者表示部７１１に渡される。話者表示部７１１は、この返還通知信号Ｓ３＿１０を受けて、セッション画面における話者欄や受信者欄を空欄にすることで、ユーザに現在話者権が返還されている旨を知らせる。その結果、通信システム３が、話者権取得前の状態に戻ることとなる。
【０２２９】
この第３実施形態の通信システム３でも、上記の第１実施形態と同様に、同報的なセッションにおいて、一部の携帯電話機７００だけと簡単に通話することができる。また、本実施形態では、限定的同報通信を望むユーザが受信者等の指定を行った上で話者権を要求し、その要求が容れられたときに通信方式が限定的同報通信となる。また、その状態で、今度は通常の同報通信を望むユーザが受信者等の指定を行わずに話者権を要求し、その要求が容れられたときには通信方式は通常の同報通信となる。このように、この第３実施形態の通信システム３では、受信者等の指定を行うか否かによって通信方式を自在に切り替えることができる。さらに、この通信システム３では、この受信者が任意に指定されるので、限定的同報通信における通信相手の設定を一層柔軟に行うことができる。また、この通信システム３では、所望の秘匿者を話者権要求時に指定することができる。
【０２３０】
次に、本発明の第４実施形態について説明する。
【０２３１】
図２０は、本発明の第４実施形態である通信システムを示す模式図である。
【０２３２】
この図２０のに示す通信システムは、上述の第３実施形態の変形例であり、以下では、この第３実施形態との相違点に注目して説明する。
【０２３３】
この図２０には、４台の携帯電話機１１００＿１，１１００＿２，１１００＿３，１１００＿４と、１台のＰｏＣサーバ１２００とからなる第４実施形態である第１通信システム４が示されている。さらに、この図２０には、この第１通信システム４とは別の第２通信システム５が示されている。この第２通信システム５は、第１通信システム４を構成するＰｏＣサーバ１２００とユーザＢの携帯電話機１１００＿２と、第１通信システム４には属さないユーザＸの携帯電話機１１００＿５とで構成されている。尚、この図２０では、図１や図１０に示されている基地局については、図の簡単化のために図示が省略されている。
【０２３４】
また、この図２０では、図示を分かりやすくするために、第１通信システム４と第２通信システム５とのそれぞれについてＰｏＣサーバ１２００が記載されているが、本実施形態では、これら２つの通信システムは、物理的に１台のＰｏＣサーバ１２００によって管理されている。尚、本発明はこの形態に限るものではなく、例えば、２つの通信システムそれぞれを管理する互いに物理的に異なる２台のＰｏＣサーバが存在するという形態等であっても良い。
【０２３５】
本実施形態の第１通信システム４では、上述の第３実施形態と同様に、話者の携帯電話機において受信者を指定することができる。そして、この指定された受信者の携帯電話機が第２通信システム５のように別のシステムに属している場合に、その受信者の携帯電話機において、自機が属するシステムを所望のシステムに切り替えることができる。これにより、話者は、他のセッションに参加しているユーザに対して、自分が参加しているセッションへの呼びかけを行うことができる。
【０２３６】
図２０のパート（ａ）には、現在、第２通信システム５に属しているユーザＢの携帯電話機１１００＿２を含む４台の携帯電話機を構成要素とする第１通信システム４が、ＰｏＣサーバ１２００によって構築された様子が示されている。
【０２３７】
この状態では、上述したように第１通信システム４に属する各携帯電話機で表示されるセッション画面では、ユーザＢが現在話中である旨が表示される。
【０２３８】
パート（ｂ）には、第１通信システム４において限定的同報通信によるセッションが開始され、そのセッションにおいてユーザＡの携帯電話機１１００＿１が話者権を取得するとともに、ユーザＢが受信者として指定された様子が示されている。尚、このパート（ｂ）は、ユーザＣが非受信者、ユーザＤが秘匿者に指定されている例であって、ユーザＡが話者でユーザＢが受信者であることが、ユーザＣには通知され、ユーザＤには秘匿されていることがそれぞれ実線および破線で示されている。また、この時には、後述するように、ユーザＢには、別セッションからの呼び出しが有る旨が通知される。
【０２３９】
パート（ｃ）には、ユーザＢが、自分の携帯電話機１１００＿２が属するシステムを、第２通信システム５から第１通信システム４に切り替えた様子が示されている。この結果、第２通信システム５におけるセッションは中断され、ユーザＢは第１通信システム４におけるセッションに参加することとなる。
【０２４０】
尚、本実施形態では、第１通信システム４において通常の同報通信によるセッションが開始された場合には、ユーザＢに対する呼び出しは行われず。ユーザＢは、別セッションが終了したときに第１通信システム４でのその通常の同報通信によるセッションに参加することとなる。
【０２４１】
以下、本実施形態について、限定的同報通信によるセッション時の、システムの切替機能に注目して説明を行う。尚、以下では、図２０に示す５台の携帯電話機を１つの携帯電話機１１００で示す。
【０２４２】
図２１は、図２０の携帯電話機１１００を同報通信機能に注目して示す機能ブロック図であり、図２２は、図２０のＰｏＣサーバ１２００を同報通信機能に注目して示す機能ブロック図である。尚、図２１では、図１５に示す第３実施形態の携帯電話機７００の構成要素と同じ構成要素については図１５と同じ符号を付して示され、また、図２２では、図１６に示す第３実施形態のＰｏＣサーバ９００の構成要素と同じ構成要素については図１６と同じ符号を付して示されている。また、以下では、これらの構成要素については重複説明を省略する。
【０２４３】
図２１の携帯電話機１１００において、システムの切替機能を担っている構成要素は、質問受信部１１０１、呼出通知部１１０２、返答送信部１１０３、および返答入力部１１０４であり、図２２のＰｏＣサーバ１２００において、この機能を担っている構成要素は、参加可否質問部１２０１と返答設定部１２０２である。ここで、ＰｏＣサーバ１２００の参加可否質問部１２０１と返答設定部１２０２は、それぞれ本発明にいう参加可否質問部と返答設定部の各一例に相当する。
【０２４４】
まず、ＰｏＣサーバ１２００のセッション開始部９０１において図２０の第１通信システム４が構築されたときに、携帯電話機１１００の中に別システムに属している、即ち別セッションに参加中のユーザのものがあった場合には、その旨が、参加可否質問部１２０１に通知される。
【０２４５】
次に、この第１通信システム４において、別セッションに参加中のユーザが受信者に指定されたとする。このとき、指定側における受信者および秘匿者の入力画面は次のようになる。
【０２４６】
図２３は、別セッションに参加中のユーザを受信者に指定する場合の、指定側における受信者および秘匿者の入力画面を示す図である。
【０２４７】
図２３のパートには、指定側における受信者および秘匿者の入力画面１１０５が示されている。この入力画面１１０５では、現在、ユーザＢが、別セッションに参加しており話中である旨が、ユーザＢの欄がグレーで塗りつぶされることで示されている。ここで、本実施形態では、この話中のユーザについても受信者欄１１０５ａの該当欄をクリックして受信者に指定することができる。図２３の例では、受信者欄１１０５ａの、話中のユーザＢに該当する欄にチェックマークが記入されている。
【０２４８】
この受信者は、受信者情報受信部９０２から参加可否質問部１２０１に通知される。この参加可否質問部１２０１は、この受信者情報受信部９０２から通知された受信者が、セッション開始部９０１から通知された話中の受信と一致する場合に、その受信者の携帯電話機１１００に、この第１通信システム４への参加の可否を問う質問信号Ｓ４＿１を送信する。
【０２４９】
この質問信号Ｓ４＿１は、その受信者の携帯電話機１１００の質問受信部１１０１で受信され、その質問信号Ｓ４＿１の受信があった旨が呼出通知部１１０２に通知される。呼出通知部１１０２は、その通知を受けて、ユーザに対して次のように別セッションからの呼出があった旨を通知する。
【０２５０】
図２４は、ユーザに対して別セッションからの呼出があった旨が通知されている様子を示す図である。
【０２５１】
この図２４には、図２０の第２通信システム５におけるセッションに参加中のユーザＢの携帯電話機１１００でのセッション画面１１０６が示されている。このセッション画面１１０６では、現在、ユーザＢが話者であり同じセッションに参加しているユーザＸが受信者である旨が示されている。このとき、ユーザＢに対して別セッションからの呼び出しがあると、その旨のメッセージ１１０６ａが、その別セッションのメンバーの名前と共に表示される。さらに、参加セッションを、現在のセッションから呼び出しのあったセッションへ切り替えるか否かを問うメッセージ１１０６ｂが表示され、そのメッセージ１１０６ｂの下に、切替の可否を入力するための切替入力部１１０６ｃが表示される。
【０２５２】
ユーザが、この切替入力部１１０６ｃにおいて可否いずれかに対応するボタンをクリックすると、その入力内容が、図２１の携帯電話機１１００における返答入力部１１０４で受け取られる。返答入力部１１０４では、その入力内容を表わす切替可否情報Ｓ４＿２が作成されて、返答送信部１１０３に渡される。返答送信部１１０３は、その切替可否情報Ｓ４＿２をＰｏＣサーバ１２００に向けて送信する。
【０２５３】
この切替可否情報Ｓ４＿２は、ＰｏＣサーバ１２００の返答設定部１２０２で受信される。返答設定部１２０２は、その切替可否情報Ｓ４＿２が切替可を示しているか否かを判断し、切替可を示していた場合には、話者情報送信部９０５、非受信者把握部９０６、および音声データ転送部９０９にその旨を通知する。
【０２５４】
話者情報送信部９０５と非受信者把握部９０６とは、それぞれその新たな受信者に対応した処理を行い、その処理結果は、第１通信システム４の各携帯電話機１１００に通知され、各携帯電話機１１００のセッション画面に表示される。一方、第２通信システム５に属する携帯電話機１１００のセッション画面では、第１通信システム４でのセッションに移ってしまったユーザについて話中である旨が表示される。
【０２５５】
図２５は、セッション切替後の各携帯電話機１１００のセッション画面の一例を示す図である。
【０２５６】
図２５のパート（ａ）には、別セッションに参加中のユーザを受信者に指定した話者の携帯電話機１１００におけるセッション画面１１０７が示されている。このパート（ａ）に示すように、指定したユーザがその指定を容れてくれた場合には、セッション画面１１０７で話中を表わすグレーの塗りつぶしが消えて、受信者欄１１０７ａの該当欄に受信者マークＭ２が記入される。
【０２５７】
パート（ｂ）には、第２通信システム５でのセッションから第１通信システム４でのセッションに切り替えたユーザの携帯電話機１１００におけるセッション画面１１０７が示されている。本実施形態では、図２４に示す切替入力部１１０６ｃにおいて切替可に対応するボタンをクリックすると、セッション画面が切替先のセッションのものに切り替わる。この図２５のパート（ｂ）では、第２通信システム５でのセッションのセッション画面１１０６から第１通信システム４でのセッションのセッション画面１１０７に切り替わった状態が示されている。
【０２５８】
パート（ｃ）には、第２通信システム５に属する他の携帯電話機１１００のセッション画面１１０６において、第１通信システム４でのセッションに移ってしまったユーザの欄がグレーで塗りつぶされた状態が示されている。これにより、第２通信システム５でのセッションに参加しているユーザは、セッションメンバーの一人がセッションから抜けたことを知ることができる。
【０２５９】
以上説明した第４実施形態によれば、受信者を指定するに当たり、別セッションに参加中のユーザをも受信者に指定することができるので、通信相手の限定を一層柔軟に行うことができる。
【０２６０】
尚、上記では、本発明の通信システムの一実施形態として、携帯電話機による通話を行うシステムを例示したが、本発明はこれに限るものではなく、本発明の通信システムは、例えばＩＰ電話によって通話を行うシステム等であっても良い。
【０２６１】
また、上記では、本発明にいう対応データ配信部の一例として、話者と非受信者との対応関係を示す対応データを各携帯電話機に配信することで、話者と受信者との対応関係を間接的に各携帯電話機に配信する非受信対応データ送信部６０４を例示したが、本発明はこれに限るものではなく、本発明の対応データ配信部は、例えば直接的に話者と受信者との対応関係を配信するもの等であっても良い。
【０２６２】
また、上記では、本発明の通信システムの一実施形態として、通信システムに属する携帯電話機を各携帯電話機の電話番号で識別する形態を例示したが、本発明はこれに限るものではなく、本発明の通信システムは、例えば、通信システムに属する携帯電話機を各携帯電話機の持主の名前で識別するもの等であっても良い。
【０２６３】
以下、本発明の各種形態について付記する。
【０２６４】
（付記１）
複数の端末装置と、サーバ装置とを備え、各端末装置から音声を表わす音声データを送信し、該音声データをサーバ装置で他の端末装置に転送し、該他の端末装置で該音声をリアルタイムに再生する通信システムにおいて、
前記サーバ装置が、
前記端末装置から送信されてきた音声データを受信する音声データ受信部と、
前記音声データ受信部で受信された音声データを、前記複数の端末装置のうち、該音声データを発信した発信端末装置を除く他の各端末装置に向けて転送する音声データ転送部と、
前記端末装置が前記発信端末装置となったときに音声データ転送部によって前記音声データが転送されるべき転送端末装置が、該発信端末装置となる端末装置に対応付けられて設定される転送先設定部と、
前記音声データ転送部によって音声データが転送される際に、該音声データを前記転送端末装置に限定して転送させる転送限定部とを備えたものであり、
前記端末装置が、
前記音声データを送信する音声データ送信部と、
前記サーバ装置から転送されてきた音声データを受信する転送音声データ受信部と、
前記転送音声データ受信部で受信された音声データが表わす音声をリアルタイムで再生する音声再生部とを備えたものであることを特徴とする通信システム。
【０２６５】
（付記２）
前記サーバ装置の受信端末設定部は、前記音声データの転送が禁止されるべき非転送端末装置が設定されることで間接的に前記転送端末装置が設定されるものであることを特徴とする付記１記載の通信システム。
【０２６６】
（付記３）
前記サーバ装置の受信端末設定部が、前記複数の端末装置それぞれに対して前記転送端末装置が対応付けられて設定されるものであることを特徴とする付記１記載の通信システム。
【０２６７】
（付記４）
前記端末装置が、
前記複数の端末装置それぞれに対する前記転送端末装置の対応関係を表した対応データを操作に応じて作成する対応データ作成部と、
前記対応データ作成部で作成された対応データを送信する対応データ送信部とを備えたものであり、
前記サーバ装置が、
前記対応データを受信して、該対応データが表す対応関係に従って前記転送端末装置を前記転送先設定部に設定する対応データ受信部を備えたものであることを特徴とする付記１記載の通信システム。
【０２６８】
（付記５）
前記端末装置が、
自装置が前記発信端末装置となるときの前記転送端末装置が入力操作によって入力される転送端末入力部と、
前記転送端末入力部で入力された転送端末装置を前記サーバ装置に通知する転送端末通知部とを備えたものであり、
前記サーバ装置が、
前記端末装置から前記転送端末装置の通知を受けて前記転送先設定部に、該転送端末装置を通知してきた端末装置に対応付けて該転送端末装置を設定する通知設定部を備えたものであることを特徴とする付記１記載の通信システム。
【０２６９】
（付記６）
前記サーバ装置が、
前記複数の端末装置のうち、前記発信端末装置を除く他の端末装置に向けて、他装置が発信端末装置となっていることを示すビジー情報を送信するビジー情報送信部を備えたものであり、
前記端末装置が、
前記ビジー情報を受信して、自装置のユーザに、他装置が発信端末装置であること通知するビジー通知部を備えたものであることを特徴とする付記１記載の通信システム。
【０２７０】
（付記７）
前記サーバ装置が、
前記複数の端末装置のうち、前記発信端末装置を除く他の各端末装置に向けて、他装置が発信端末装置となっていることを示すビジー情報を送信するビジー情報送信部を備えたものであり、
前記端末装置が、
前記ビジー情報を受信して、自装置のユーザに、他装置が発信端末装置であること画像で通知するビジー通知部を備えたものであることを特徴とする付記１記載の通信システム。
【０２７１】
（付記８）
前記サーバ装置が、
前記複数の端末装置のうち、前記発信端末装置を除く他の端末装置に向けて、他装置が発信端末装置となっていることを、どの端末装置が発信端末装置であるかは秘匿された形式で示すビジー情報を送信するビジー情報送信部を備えたものであり、
前記端末装置が、
前記ビジー情報を受信して、自装置のユーザに、他装置が発信端末装置であることを通知するビジー通知部を備えたものであることを特徴とする付記１記載の通信システム。
【０２７２】
（付記９）
前記サーバ装置が、
前記複数の端末装置のうち、前記発信端末装置を除く他の端末装置に向けて、他装置が発信端末装置となっていることを、どの端末装置が発信端末装置であるかは秘匿された形式で示すビジー情報を送信するビジー情報送信部を備えたものであり、
前記端末装置が、
前記ビジー情報を受信して、自装置のユーザに、他装置が発信端末装置であることを、該発信端末装置が特定不能な画像で通知するビジー通知部を備えたものであることを特徴とする付記１記載の通信システム。
【０２７３】
（付記１０）
前記端末装置が、
自装置が前記発信端末装置となったことを秘匿するべき秘匿端末装置が入力操作によって入力される秘匿端末入力部と、
前記秘匿端末入力部で入力された秘匿端末装置を前記サーバ装置に通知する秘匿端末通知部とを備えたものであり、
前記サーバ装置が、
前記複数の端末装置のうち前記秘匿端末装置に向けて、他装置が発信端末装置となっていることを、どの端末装置が発信端末装置であるかは秘匿された形式で示すビジー情報を送信するビジー情報送信部を備えたものであり、
前記端末装置が、さらに、
前記ビジー情報を受信して、自装置のユーザに、他装置が発信端末装置であることを通知するビジー通知部を備えたものであることを特徴とする付記１記載の通信システム。
【０２７４】
（付記１１）
前記サーバ装置が、
前記複数の端末装置のうち、前記発信端末装置と前記転送端末装置との双方を除く他の端末装置に向けて、前記音声データが転送されないことが少なくとも端末装置側で確認可能な非転送確認情報を送信する確認情報送信部を備えたものであり、
前記端末装置が、
前記非転送確認情報を受信して、該非転送確認情報に基づいて、自装置が前記発信端末装置からの音声データの転送を止められていることを確認する確認部と、
前記確認部で、転送が止められていることが確認された場合に、自装置のユーザに、自装置が前記音声データの転送を受けていないことを通知する非転送通知部を備えたものであることを特徴とする付記１記載の通信システム。
【０２７５】
（付記１２）
前記サーバ装置が、
前記複数の端末装置のうち、前記発信端末装置と前記転送端末装置との双方を除く他の端末装置に向けて、前記音声データが転送されないことが少なくとも端末装置側で確認可能な非転送確認情報を送信する確認情報送信部を備えたものであり、
前記端末装置が、
前記非転送確認情報を受信して、該非転送確認情報に基づいて、自装置が前記発信端末装置からの音声データの転送を止められていることを確認する確認部と、
前記確認部で、転送が止められていることが確認された場合に、自装置のユーザに、自装置が前記音声データの転送を受けていないことを画像で通知する非転送通知部を備えたものであることを特徴とする付記１記載の通信システム。
【０２７６】
（付記１３）
前記サーバ装置が、
前記複数の端末装置のうち、前記発信端末装置と前記転送端末装置との双方を除く他の端末装置に向けて、前記音声データが転送されないこと明示した非転送明示情報を送信する明示情報送信部を備えたものであり、
前記端末装置が、
前記非転送明示情報を受信して、自装置のユーザに、自装置が前記音声データの転送を受けていないことを通知する非転送通知部を備えたものであることを特徴とする付記１記載の通信システム。
【０２７７】
（付記１４）
前記サーバ装置が、
前記複数の端末装置のうち、前記発信端末装置を除く他の各端末装置に向けて、該発信端末装置となった端末装置を示す発信端末情報を送信する発信端末送信部を備えたものであり、
前記端末装置が、
前記複数の端末装置それぞれに対する前記転送端末装置の対応関係を記憶した対応記憶部と、
前記発信端末情報を受信して、その受信した発信端末情報が示す端末装置を前記対応記憶部に記憶されている対応関係と照らし合わせることで、自装置が前記発信端末装置からの音声データの転送を止められているか否かを判定する判定部と、
前記判定部で、転送が止められていると判定された場合に、自装置のユーザに、自装置が前記音声データの転送を受けていないことを通知する非転送通知部を備えたものであることを特徴とする付記１記載の通信システム。
【０２７８】
（付記１５）
前記端末装置が、
自装置を含む複数の端末装置を指定して、該複数の端末装置間における前記音声データの転送の開始を前記サーバ装置に要求する開始要求部を備えたものであり、
前記サーバ装置が、
前記端末装置から前記転送の開始が要求された場合に、前記音声データ転送部に、指定されている複数の端末装置相互間での前記音声データの転送を開始させる転送開始部と、
前記複数の端末装置それぞれに対する前記転送端末装置の対応関係を表す対応データを、前記音声データ転送部による前記音声データの転送が開始されたときに、それら複数の端末装置それぞれに配信する対応データ配信部と、
前記複数の端末装置のうち、前記発信端末装置を除く他の各端末装置に向けて、該発信端末装置となった端末装置を示す発信端末情報を送信する発信端末送信部を備えたものであり、
前記端末装置が、さらに、
前記サーバ装置から配信された対応データを受け取って、その対応データが表す対応関係を記憶する対応記憶部と、
前記発信端末情報を受信して、その受信した発信端末情報が示す端末装置を前記対応記憶部に記憶されている対応関係と照らし合わせることで、自装置が前記発信端末装置からの音声データの転送を止められているか否かを判定する判定部と、
前記判定部で、転送が止められていると判定された場合に、自装置のユーザに、自装置が前記音声データの転送を受けていないことを通知する非転送通知部を備えたものであることを特徴とする付記１記載の通信システム。
【０２７９】
（付記１６）
前記サーバ装置が、
前記複数の端末装置のうち、前記発信端末装置と前記転送端末装置との双方を除く他の端末装置に向けて、前記音声データが転送されないことが少なくとも端末装置側で確認可能な非転送確認情報を送信する確認情報送信部を備えたものであり、
前記端末装置が、
前記非転送確認情報を受信して、該非転送確認情報に基づいて、自装置が前記発信端末装置からの音声データの転送を止められていることを確認する確認部と、
前記確認部で、転送が止められていることが確認された場合に、前記音声再生部による音声の再生に替えて所定の他の音声を再生する代替音声再生部を備えたものであることを特徴とする付記１記載の通信システム。
【０２８０】
（付記１７）
前記複数の端末装置のうち少なくとも１つの端末装置が、
この通信システム以外の、前記複数の端末装置とは少なくとも一部の端末装置が異なる複数の端末装置を含む別の通信システムを構成するものであって、
この通信システムへの参加の可否を問われて返答する参加可否返答部を備えたものであり、
前記複数の端末装置それぞれが、
自装置が前記発信端末装置となるときの前記転送端末装置が入力操作によって入力される転送端末入力部と、
前記転送端末入力部で入力された転送端末装置を前記サーバ装置に通知する転送端末通知部とを備えたものであり、
前記サーバ装置が、
前記端末装置から前記転送端末装置の通知を受け、該転送端末装置が前記別の通信システムを構成するものである場合に、該転送端末装置に、この通信システムへの参加の可否を問う参加可否質問部と、
前記参加可否質問部による問いに対する返答を入手し、その返答が参加可を示している場合に、その返答を返してきた端末装置を、前記転送端末装置を通知してきた端末装置に対応した転送端末装置として前記転送先設定部に設定する返答設定部とを備えたものであることを特徴とする付記１記載の通信システム。
【０２８１】
（付記１８）
複数の端末装置と、サーバ装置とを備え、各端末装置から音声を表わす音声データを送信し、該音声データをサーバ装置で他の端末装置に転送し、該他の端末装置で該音声をリアルタイムに再生する通信システムで使用されるサーバ装置において、
前記端末装置から送信されてきた音声データを受信する音声データ受信部と、
前記音声データ受信部で受信された音声データを、前記複数の端末装置のうち、該音声データを発信した発信端末装置を除く他の各端末装置に向けて転送する音声データ転送部と、
前記端末装置が前記発信端末装置となったときに音声データ転送部によって前記音声データが転送されるべき転送端末装置が、該発信端末装置となる端末装置に対応付けられて設定される転送先設定部と、
前記音声データ転送部によって音声データが転送される際に、該音声データを前記転送端末装置に限定して転送させる転送限定部とを備えたことを特徴とするサーバ装置。
【０２８２】
（付記１９）
複数の端末装置と、サーバ装置とを備え、各端末装置から音声を表わす音声データを送信し、該音声データをサーバ装置で他の端末装置に転送し、該他の端末装置で該音声をリアルタイムに再生する通信システムで使用される端末装置において、
前記サーバ装置が、前記端末装置から送信されてきた音声データを受信する音声データ受信部と、前記音声データ受信部で受信された音声データを、前記複数の端末装置のうち、該音声データを発信した発信端末装置を除く他の各端末装置に向けて転送する音声データ転送部と、前記端末装置が前記発信端末装置となったときに音声データ転送部によって前記音声データが転送されるべき転送端末装置が、該発信端末装置となる端末装置に対応付けられて設定される転送先設定部と、前記音声データ転送部によって音声データが転送される際に、該音声データを前記転送端末装置に限定して転送させる転送限定部と、前記複数の端末装置それぞれに対する前記転送端末装置の対応関係を表した対応データを受信して、該対応データが表わす対応関係に従って前記転送端末装置を前記転送先設定部に設定する対応データ受信部とを有したものであり、
前記対応関係を表した対応データを操作に応じて作成する対応データ作成部と、
前記対応データ作成部で作成された対応データを送信する対応データ送信部と、
前記音声データを送信する音声データ送信部と、
前記サーバ装置から転送されてきた音声データを受信する転送音声データ受信部と、
前記転送音声データ受信部で受信された音声データが表わす音声をリアルタイムで再生する音声再生部とを備えたことを特徴とする端末装置。
【０２８３】
（付記２０）
複数の端末装置と、サーバ装置とを備え、各端末装置から音声を表わす音声データを送信し、該音声データをサーバ装置で他の端末装置に転送し、該他の端末装置で該音声をリアルタイムに再生する通信システムで使用される端末装置において、
前記サーバ装置が、前記端末装置から送信されてきた音声データを受信する音声データ受信部と、前記音声データ受信部で受信された音声データを、前記複数の端末装置のうち、該音声データを発信した発信端末装置を除く他の各端末装置に向けて転送する音声データ転送部と、前記端末装置が前記発信端末装置となったときに音声データ転送部によって前記音声データが転送されるべき転送端末装置が、該発信端末装置となる端末装置に対応付けられて設定される転送先設定部と、前記音声データ転送部によって音声データが転送される際に、該音声データを前記転送端末装置に限定して転送させる転送限定部と、この端末装置から前記転送端末装置の通知を受けて前記転送先設定部に、該転送端末装置を通知してきた端末装置に対応付けて該転送端末装置を設定する通知設定部とを有するものであり、
自装置が前記発信端末装置となるときの前記転送端末装置が入力操作によって入力される転送端末入力部と、
前記転送端末入力部で入力された転送端末装置を前記サーバ装置に通知する転送端末通知部と、
前記音声データを送信する音声データ送信部と、
前記サーバ装置から転送されてきた音声データを受信する転送音声データ受信部と、
前記転送音声データ受信部で受信された音声データが表わす音声をリアルタイムで再生する音声再生部とを備えたものであることを特徴とする端末装置。
【０２８４】
（付記２１）
複数の端末装置と、サーバ装置とを備え、各端末装置から音声を表わす音声データを送信し、該音声データをサーバ装置で他の端末装置に転送し、該他の端末装置で該音声をリアルタイムに再生する通信システムで使用される端末装置において、
前記サーバ装置が、前記端末装置から送信されてきた音声データを受信する音声データ受信部と、前記音声データ受信部で受信された音声データを、前記複数の端末装置のうち、該音声データを発信した発信端末装置を除く他の各端末装置に向けて転送する音声データ転送部と、前記端末装置が前記発信端末装置となったときに音声データ転送部によって前記音声データが転送されるべき転送端末装置が、該発信端末装置となる端末装置に対応付けられて設定される転送先設定部と、前記音声データ転送部によって音声データが転送される際に、該音声データを前記転送端末装置に限定して転送させる転送限定部と、前記複数の端末装置のうち、前記発信端末装置を除く他の端末装置に向けて、他装置が発信端末装置となっていることを、どの端末装置が発信端末装置であるかは秘匿された形式で示すビジー情報を送信するビジー情報送信部とを備えたものであり、
前記ビジー情報を受信して、自装置のユーザに、他装置が発信端末装置であることを、該発信端末装置が特定不能な画像で通知するビジー通知部と、
前記音声データを送信する音声データ送信部と、
前記サーバ装置から転送されてきた音声データを受信する転送音声データ受信部と、
前記転送音声データ受信部で受信された音声データが表わす音声をリアルタイムで再生する音声再生部とを備えたものであることを特徴とする端末装置。
【０２８５】
（付記２２）
複数の端末装置と、サーバ装置とを備え、各端末装置から音声を表わす音声データを送信し、該音声データをサーバ装置で他の端末装置に転送し、該他の端末装置で該音声をリアルタイムに再生する通信システムで使用される端末装置において、
前記サーバ装置が、前記端末装置から送信されてきた音声データを受信する音声データ受信部と、前記音声データ受信部で受信された音声データを、前記複数の端末装置のうち、該音声データを発信した発信端末装置を除く他の各端末装置に向けて転送する音声データ転送部と、前記端末装置が前記発信端末装置となったときに音声データ転送部によって前記音声データが転送されるべき転送端末装置が、該発信端末装置となる端末装置に対応付けられて設定される転送先設定部と、前記音声データ転送部によって音声データが転送される際に、該音声データを前記転送端末装置に限定して転送させる転送限定部と、前記複数の端末装置のうち、前記発信端末装置と前記転送端末装置との双方を除く他の端末装置に向けて、前記音声データが転送されないことが少なくとも端末装置側で確認可能な非転送確認情報を送信する確認情報送信部とを備えたものであり、
前記非転送確認情報を受信して、該非転送確認情報に基づいて、自装置が前記発信端末装置からの音声データの転送を止められていることを確認する確認部と、
前記確認部で、転送が止められていることが確認された場合に、自装置のユーザに、自装置が前記音声データの転送を受けていないことを通知する非転送通知部と、
前記音声データを送信する音声データ送信部と、
前記サーバ装置から転送されてきた音声データを受信する転送音声データ受信部と、
前記転送音声データ受信部で受信された音声データが表わす音声をリアルタイムで再生する音声再生部とを備えたものであることを特徴とする端末装置。
【図面の簡単な説明】
【０２８６】
【図１】本発明の第１実施形態である通信システムを示す模式図である。
【図２】携帯電話機１００の外観斜視図である。
【図３】携帯電話機１００の内部ブロック図である。
【図４】図２の携帯電話機１００を同報通信機能に注目して示す機能ブロック図である。
【図５】図１のＰｏＣサーバ３００を同報通信機能に注目して示す機能ブロック図である。
【図６】限定的同報通信についてのセッション画面の一例を示す図である。
【図７】図６に示す限定的同報通信についてのセッション画面１８１で話者権の取得状況が示された様子を示す図である。
【図８】本発明の第１実施形態の通信システム１の応用例を示す図である。
【図９】図８に示すサーバ１２で記憶されている対応データが表す対応関係のうち、タクシー無線システム１０に属する３つのタクシー通信機１３ａ，１３ｂ，１３ｃについての部分を示す図である。
【図１０】本発明の第２実施形態である通信システムを示す模式図である。
【図１１】図１０の携帯電話機４００を同報通信機能に注目して示す機能ブロック図である。
【図１２】図１０のＰｏＣサーバ６００を同報通信機能に注目して示す機能ブロック図である。
【図１３】セッションメンバーの入力画面と話者と受信者との対応関係の入力画面とを示す図である。
【図１４】本発明の第３実施形態である通信システムを示す模式図である。
【図１５】図１４の携帯電話機７００を同報通信機能に注目して示す機能ブロック図である。
【図１６】図１４のＰｏＣサーバ９００を同報通信機能に注目して示す機能ブロック図である。
【図１７】セッションメンバーの入力画面の一例を示す図である。
【図１８】受信者および秘匿者の入力画面の一例を示す図である。
【図１９】限定的同報通信についてのセッション画面で話者権の取得状況が示された様子を示す図である。
【図２０】本発明の第３実施形態である通信システムを示す模式図である。
【図２１】図２０の携帯電話機１１００を同報通信機能に注目して示す機能ブロック図である。
【図２２】図２０のＰｏＣサーバ１２００を同報通信機能に注目して示す機能ブロック図である。
【図２３】別セッションに参加中のユーザを受信者に指定する場合の、指定側における受信者および秘匿者の入力画面を示す図である。
【図２４】ユーザに対して別セッションからの呼出があった旨が通知されている様子を示す図である。
【図２５】セッション切替後の各携帯電話機１１００のセッション画面の一例を示す図である。
【符号の説明】
【０２８７】
１，２，３    通信システム
４    第１通信システム
５    第２通信システム
１０    タクシー無線システム
１１    センター通信機
１２    サーバ
１２ａ    対応関係
１３ａ，１３ｂ，１３ｃ    タクシー通信機
１００，１００＿１，１００＿２，１００＿３，１００＿４，４００，４００＿１，４００＿２，４００＿３，４００＿４，７００，７００＿１，７００＿２，７００＿３，７００＿４，１１００，１１００＿１，１１００＿２，１１００＿３，１１００＿４，１１００＿５    携帯電話機
１００Ａ    上部筐体
１００Ｂ    下部筐体
１００Ｃ    ヒンジ部
１００Ｄ    話者スイッチ
１０１    液晶パネル
１０２    送話口
１０４    選択ボタン
１０５    プッシュボタン
１０６    受話口
１１０    ＣＰＵ
１１１    ＲＯＭ
１１２    不揮発メモリ
１１３    ＲＡＭ
１２１    マイクデバイス
１２２    表示デバイス
１２３    スピーカデバイス
１２４    キーデバイス
１２５    カメラデバイス
１２６    時計
１３１    赤外線デバイス
１３２    第１通信デバイス
１３３    第２通信デバイス
１３４    再生デバイス
１４０    メディアコントローラ
１４１    記録メディア
１５０    充電地
１７１    セッション開始要求部
１７２    セッション開始受信部
１７３    セッション開始通知部
１７４    話者権要求部
１７５    話者情報受信部
１７６    話者表示部
１７７    音声データ送信部
１７８    音声入力部
１７９    音声データ受信部
１８０    音声再生部
１８１    セッション画面
１８１ａ    ユーザ欄
１８１ｂ    受信者欄
１８１ｃ    話者欄
２００，５００，８００    基地局
３００，６００，９００，１２００    ＰｏＣサーバ
３０１    セッション開始部
３０２    受信者把握部
３０３    話者権付与部
３０４    話者情報送信部
３０５    音声データ受信部
３０６    音声データ転送部
３０７    セッションメンバー記憶部
３０８    受信者記憶部
４０１    セッション開始要求部
４０２    セッションメンバー入力部
４０３    受信対応データ送信部
４０４    受信者入力部
４０５    セッション開始受信部
４０６    セッション開始通知部
４０７    非受信対応データ受信部
４０８    話者権要求部
４０９    話者情報受信部
４１０    非受信者判定部
４１１    話者表示部
４１２    音声データ送信部
４１３    音声入力部
４１４    音声データ受信部
４１５    音声再生部
４１６    非受信者記憶部
４１７    非受信音声データ記憶部
６０１    セッション開始部
６０２    非受信対応データ作成部
６０３    受信対応データ受信部
６０４    非受信対応データ送信部
６０５    受信者把握部
６０６    話者権付与部
６０７    話者情報送信部
６０８    音声データ受信部
６０９    音声データ転送部
６１０    セッションメンバー記憶部
６１１    受信者記憶部
６１２    セッションメンバーの入力画面
６１２ａ    指示アイコン
６１３    話者と受信者との対応関係の入力画面
６１３ａ    承認アイコン
７０１    セッション開始要求部
７０２    セッションメンバー入力部
７０３    セッション開始受信部
７０４    セッション開始通知部
７０５    受信対応データ送信部
７０６    受信者入力部
７０７    秘匿者送信部
７０８    秘匿者入力部
７０９    話者権要求部
７１０    話者情報受信部
７１１    話者表示部
７１２    非受信情報受信部
７１３    音声データ送信部
７１４    音声入力部
７１５    音声データ受信部
７１６    音声再生部
７１７    非受信音声データ記憶部
７１８    セッションメンバーの入力画面
７１８ａ    通信方式指定部
７１８ｂ    承認アイコン
７１９    受信者および秘匿者の入力画面
７１９ａ    受信者入力欄
７１９ｂ    秘匿者入力欄
７１９ｃ    承認アイコン
７２０    セッション画面
７２０ａ    話者欄
７２０ｂ    受信者欄
９０１    セッション開始部
９０２    受信者情報受信部
９０３    秘匿者情報受信部
９０４    話者権付与部
９０５    話者情報送信部
９０６    非受信者把握部
９０７    非受信情報送信部
９０８    音声データ受信部
９０９    音声データ転送部
９１０    セッションメンバー記憶部
１１０１    質問受信部
１１０２    呼出通知部
１１０３    返答送信部
１１０４    返答入力部
１１０５    受信者および秘匿者の入力画面
１１０５ａ    受信者欄
１１０６    セッション画面
１１０６ａ，１１０６ｂ    メッセージ
１１０６ｃ    切替入力部
１１０７    セッション画面
１１０７ａ    受信者欄
１２０１    参加可否質問部
１２０２    返答設定部
【図１】
2008187283.tif 000003
【図２】
2008187283.tif 000004
【図３】
2008187283.tif 000005
【図４】
2008187283.tif 000006
【図５】
2008187283.tif 000007
【図６】
2008187283.tif 000008
【図７】
2008187283.tif 000009
【図８】
2008187283.tif 000010
【図９】
2008187283.tif 000011
【図１０】
2008187283.tif 000012
【図１１】
2008187283.tif 000013
【図１２】
2008187283.tif 000014
【図１３】
2008187283.tif 000015
【図１４】
2008187283.tif 000016
【図１５】
2008187283.tif 000017
【図１６】
2008187283.tif 000018
【図１７】
2008187283.tif 000019
【図１８】
2008187283.tif 000020
【図１９】
2008187283.tif 000021
【図２０】
2008187283.tif 000022
【図２１】
2008187283.tif 000023
【図２２】
2008187283.tif 000024
【図２３】
2008187283.tif 000025
【図２４】
2008187283.tif 000026
【図２５】
2008187283.tif 000027